(57)【特許請求の範囲】
【請求項１】
２つ以上のネットワークのうち何れか一つのネットワークに接続してデータサービスを利用する端末装置に対して上記データサービスによるサービス状態情報を認知し、上記認知されたサービス状態情報に対応して特定ネットワークへの接続変更を誘導するネットワーク変更ポリシーを生成して上記端末装置に提供する装置制御部を含み、
上記装置制御部は、上記端末装置に対応して上記２つ以上のネットワーク各々を通したテストパケット送／受信結果による各ネットワークの性能情報を生成する性能検出装置との連動を通して、上記端末装置に対応するネットワーク別性能情報を認知し、
上記性能検出装置は、あらかじめ定義された特定サイズのテストパケットをあらかじめ定義された特定の伝送パターンに従って、特定検出時点に到達した上記端末装置に送信し、
上記サービス状態情報は、
上記端末装置が接続した上記ネットワークに対応する無線中継装置の負荷状態情報、上記端末装置で実行されるアプリケーションの種類情報、上記端末装置に対応する上記２つ以上のネットワーク各々に対するネットワーク別性能情報のうち少なくとも何れか一つを含むことを特徴とするポリシー提供装置。
【請求項２】
上記装置制御部は、
上記２つ以上のネットワーク各々に対応する無線中継装置の負荷状態をモニタリングした無線中継装置別負荷状態情報を獲得し、上記無線中継装置別負荷状態情報を基に特定変更基準に対応する負荷状態情報を有する無線中継装置の存否を検索し、検索された無線中継装置に接続された少なくとも一つの端末装置を認知することを特徴とする請求項１に記載のポリシー提供装置。
【請求項３】
上記装置制御部は、
上記検索された無線中継装置の負荷状態情報を基に特定ネットワークへの接続変更を誘導するネットワーク変更ポリシーを生成し、上記ネットワーク変更ポリシーを上記認知された少なくとも一つの端末装置に提供することを特徴とする請求項２に記載のポリシー提供装置。
【請求項４】
上記装置制御部は、
上記端末装置で実行されるアプリケーションの種類を判断する特定検出装置から提供される判断結果、又は上記端末装置から提供されるアプリケーション種類判断結果に基づいて、上記端末装置で実行されるアプリケーションの種類情報を認知することを特徴とする請求項１に記載のポリシー提供装置。
【請求項５】
上記装置制御部は、
上記認知されたアプリケーション種類情報を基に特定ネットワークへの接続変更を誘導するネットワーク変更ポリシーを生成し、上記ネットワーク変更ポリシーを上記端末装置に提供することを特徴とする請求項４に記載のポリシー提供装置。
【請求項６】
前記特定検出時点は、端末装置が上記２つ以上のネットワークのうちの特定ネットワークに接続して上記データサービス利用を開始する時点、又は上記データサービスを利用する利用時間中の周期的な特定検出地点、又はあらかじめ定義されたハンドオーバー遂行状況の発生によってハンドオーバーを遂行しようとする時点であることを特徴とする請求項１に記載のポリシー提供装置。
【請求項７】
上記装置制御部は、
上記認知されたネットワーク別性能情報を基に特定ネットワークへの接続変更を誘導するネットワーク変更ポリシーを生成し、上記ネットワーク変更ポリシーを上記端末装置に提供することを特徴とする請求項１に記載のポリシー提供装置。
【請求項８】
２つ以上のネットワークに対する通信を支援するマルチ通信部と、
ポリシー提供装置から特定ネットワーク変更ポリシーが受信されれば、上記ネットワーク変更ポリシーを基に接続しようとする特定ネットワークへの接続可否を判断し、接続が可能な場合は、上記マルチ通信部を介して上記特定ネットワークへの接続を試みて、接続するネットワークを変更する接続制御部を含み、
特定検出時点に到達すると、あらかじめ定義された特定の伝送パターンに従って送信された、あらかじめ定義された特定サイズのテストパケットを、各ネットワークの性能情報を生成する性能検出装置から受信し、前記特定サイズのテストパケットは、前記２つ以上のネットワークの各々を通して送受信され、
前記特定サイズのテストパケットが前記２つ以上のネットワークの各々を通して送受信されると、前記各ネットワークの性能情報が生成され、
前記特定ネットワーク変更ポリシーは、前記各ネットワークの性能情報に対応して生成されることを特徴とする端末装置。
【請求項９】
上記２つ以上のネットワーク各々に対応する性能情報検出のための特定テストパケット（test packet）を上記２つ以上のネットワークを通して送／受信するテスト支援部を更に含むことを特徴とする請求項８に記載の端末装置。
【請求項１０】
２つ以上のネットワークのうち何れか一つのネットワークに接続してデータサービスを利用する端末装置に対して上記データサービスによるサービス状態情報を認知するサービス状態情報認知段階；及び
ポリシー設定情報に従い、上記認知されたサービス状態情報に対応して特定ネットワークへの接続変更を誘導するネットワーク変更ポリシーを生成して上記端末装置に提供するポリシー提供段階；を含み、
上記サービス状態情報認知段階は、上記端末装置に対応して上記２つ以上のネットワーク各々を通したテストパケット送／受信結果による各ネットワークの性能情報を生成する性能検出装置との連動を通して、上記端末装置に対応するネットワーク別性能情報を認知することを含み、
上記性能検出装置は、あらかじめ定義された特定サイズのテストパケットをあらかじめ定義された特定の伝送パターンに従って、特定検出時点に到達した上記端末装置に送信する
上記サービス状態情報は、
上記端末装置が接続した上記ネットワークに対応する無線中継装置の負荷状態情報、上記端末装置で実行されるアプリケーションの種類情報、上記端末装置に対応する上記２つ以上のネットワーク各々に対するネットワーク別性能情報のうち少なくとも何れか一つを含むことを特徴とするポリシー提供装置の動作方法。
【請求項１１】
上記サービス状態情報認知段階は、
上記２つ以上のネットワーク各々に対応する無線中継装置の負荷状態をモニタリングした無線中継装置別負荷状態情報を獲得し、上記無線中継装置別負荷状態情報を基に特定変更基準に対応する負荷状態情報を有する無線中継装置の存否を検索し、検索された無線中継装置に接続された少なくとも一つの端末装置を認知することを特徴とする請求項１０に記載のポリシー提供装置の動作方法。
【請求項１２】
上記ポリシー提供段階は、
上記検索された無線中継装置の負荷状態情報を基に特定ネットワークへの接続変更を誘導するネットワーク変更ポリシーを生成し、上記ネットワーク変更ポリシーを上記認知された少なくとも一つの端末装置に提供することを特徴とする請求項１１に記載のポリシー提供装置の動作方法。
【請求項１３】
上記サービス状態情報認知段階は、
上記端末装置で実行されるアプリケーションの種類を判断する特定検出装置から提供される判断結果、又は上記端末装置から提供されるアプリケーション種類判断結果に基づいて、上記端末装置で実行されるアプリケーションの種類情報を認知することを特徴とする請求項１０に記載のポリシー提供装置の動作方法。
【請求項１４】
上記ポリシー提供段階は、
上記認知されたアプリケーション種類情報を基に特定ネットワークへの接続変更を誘導するネットワーク変更ポリシーを生成し、上記ネットワーク変更ポリシーを上記端末装置に提供することを特徴とする請求項１３に記載のポリシー提供装置の動作方法。
【請求項１５】
前記特定検出時点は、端末装置が上記２つ以上のネットワークのうちの特定ネットワークに接続して上記データサービス利用を開始する時点、又は上記データサービスを利用する利用時間中の周期的な特定検出地点、又はあらかじめ定義されたハンドオーバー遂行状況の発生によってハンドオーバーを遂行しようとする時点であることを特徴とする請求項１０に記載のポリシー提供装置の動作方法。
【請求項１６】
上記ポリシー提供段階は、
上記認知されたネットワーク別性能情報を基に特定ネットワークへの接続変更を誘導するネットワーク変更ポリシーを生成し、上記ネットワーク変更ポリシーを上記端末装置に提供することを特徴とする請求項１０に記載のポリシー提供装置の動作方法。
【請求項１７】
２つ以上のネットワークのうち何れか一つのネットワークに接続する段階；
ポリシー提供装置から特定ネットワーク変更ポリシーが受信されれば、上記ネットワーク変更ポリシーを基に接続しようとする特定ネットワークへの接続可否を判断する接続可否判断段階；及び
上記接続可否を判断した結果、接続が可能な場合は、上記特定ネットワークへの接続を試みて、接続するネットワークを変更する接続変更段階；を含み、
特定検出時点に到達すると、あらかじめ定義された特定の伝送パターンに従って送信された、あらかじめ定義された特定サイズのテストパケットを、各ネットワークの性能情報を生成する性能検出装置から受信し、前記特定サイズのテストパケットは、前記２つ以上のネットワークの各々を通して送受信され、
前記特定サイズのテストパケットが前記２つ以上のネットワークの各々を通して送受信されると、前記各ネットワークの性能情報が生成され、
前記特定ネットワーク変更ポリシーは、前記各ネットワークの性能情報に対応して生成されることを特徴とする端末装置の動作方法。
【請求項１８】
上記２つ以上のネットワーク各々に対応する性能情報検出のための特定テストパケット（test packet）を上記２つ以上のネットワークを通して送／受信するテスト支援段階を更に含むことを特徴とする請求項１７に記載の端末装置の動作方法。
【発明の詳細な説明】
【技術分野】
【０００１】
本発明は、異機種ネットワーク間接続変更方法を支援するポリシー提供装置及び端末装置に関し、より詳しくは、異機種ネットワーク環境でネットワーク運営側が端末装置の接続するネットワークを変更するよう誘導することにより、ネットワーク運営側が主導してデータトラフィックを効果的に配分しネットワークの安定性を確保することができる異機種ネットワーク間接続変更システム及び方法と、端末装置及び端末装置の動作方法と、ポリシー提供装置及びポリシー提供装置の動作方法に関するものである。
【背景技術】
【０００２】
最近、事業者は多数の無線技術を基にしたサービスを同時に提供する場合が多い。韓国内の場合、主要事業者はＷＣＤＭＡ（登録商標）、ＣＤＭＡ、ＷｉＢｒｏ（登録商標）、及び最近では近距離無線ネットワークであるＷＬＡＮ（ＷｉＦｉ）技術まで導入してネットワーク網を構築、サービスしている。また、今後数年内にＬＴＥ（登録商標）網が導入されるとの見通しが有力視されている。
【０００３】
このように色々なネットワークが混在する異機種ネットワーク（Heterogeneous network）環境で端末装置が特定ネットワークを選択／接続してデータサービスを利用する。
【０００４】
この時、現在は、データサービス利用中である端末装置で使用者が接続変更しようとする他のネットワークを直接選択し、接続するネットワークを変更する。このように、使用者の選択による接続ネットワーク変更方式は、事業者側の介入（controllability）が排除された方式であるため、事業者の立場を考慮するとき消極的な方式と言える。
【０００５】
一方、スマートフォン、タブレットＰＣなど多様な無線機器が増加し、多様な大容量データサービスが増加している現時点において、事業者のネットワーク負荷率が急激に上昇するにつれて、ネットワークへの投資費の過剰支出及びサービス安定性の側面で脅かされているのが実情である。
【０００６】
よって、色々なネットワークが混在する異機種ネットワーク環境で事業者がネットワークの状態又は端末装置の状態によって能動的に端末装置の接続ネットワークを変更するよう誘導できる方案に対する必要性が台頭している。
【発明の概要】
【発明が解決しようとする課題】
【０００７】
本発明は、上記の事情を勘案して創出されたものであり、本発明が到達しようとする目的は、２つ以上のネットワークのうち何れか一つのネットワークに接続してデータサービスを利用する端末装置に対して上記データサービスによるサービス状態情報を認知し、上記認知されたサービス状態情報に対応して特定ネットワークへの接続変更を誘導するネットワーク変更ポリシーを生成して上記端末装置に提供するポリシー提供装置及びポリシー提供装置の動作方法を提供することにより、異機種ネットワーク環境でネットワーク運営側が主導的に端末装置の接続ネットワークを変更するよう誘導することにある。
【０００８】
本発明は、上記の事情を勘案して創出されたものであり、本発明が到達しようとする他の目的は、２つ以上のネットワークのうち何れか一つのネットワークに接続してデータサービスを利用し、特定ネットワーク変更ポリシーが受信されれば、上記ネットワーク変更ポリシーを基に接続しようとする特定ネットワークへの接続可否を判断し、接続が可能な場合は、上記特定ネットワークへの接続を試みて、接続するネットワークを変更する端末装置及び端末装置の動作方法を提供することにより、異機種ネットワーク環境でネットワーク運営側が主導的に端末装置の接続ネットワークを変更するように支援することにある。
【課題を解決するための手段】
【０００９】
上記目的を達成するための本発明の第１観点によるポリシー提供装置は、２つ以上のネットワークのうち何れか一つのネットワークに接続してデータサービスを利用する端末装置に対して上記データサービスによるサービス状態情報を認知し、ポリシー設定情報に従い上記認知されたサービス状態情報に対応して特定ネットワークへの接続変更を誘導するネットワーク変更ポリシーを生成して上記端末装置に提供する装置制御部を含む。
【００１０】
望ましくは、上記サービス状態情報は、上記端末装置が接続した上記ネットワークに対応する無線中継装置の負荷状態情報、上記端末装置で実行されるアプリケーションの種類情報、上記端末装置に対応する上記２つ以上のネットワーク各々に対するネットワーク別性能情報のうち少なくとも何れか一つを含むことができる。
【００１１】
望ましくは、上記装置制御部は、上記２つ以上のネットワーク各々に対応する無線中継装置の負荷状態をモニタリングした無線中継装置別負荷状態情報を獲得し、上記無線中継装置別負荷状態情報を基に特定変更基準に対応する負荷状態情報を有する無線中継装置の存否を検索し、検索された無線中継装置に接続された少なくとも一つの端末装置を認知できる。
【００１２】
上記装置制御部は、上記検索された無線中継装置の負荷状態情報を基に特定ネットワークへの接続変更を誘導するネットワーク変更ポリシーを生成し、上記ネットワーク変更ポリシーを上記認知された少なくとも一つの端末装置に提供できる。
【００１３】
望ましくは、上記装置制御部は、上記端末装置で実行されるアプリケーションの種類を判断する特定検出装置から提供される判断結果、又は上記端末装置から提供されるアプリケーション種類判断結果に基づいて、上記端末装置で実行されるアプリケーションの種類情報を認知できる。
【００１４】
望ましくは、上記装置制御部は、上記認知されたアプリケーション種類情報を基に特定ネットワークへの接続変更を誘導するネットワーク変更ポリシーを生成し、上記ネットワーク変更ポリシーを上記端末装置に提供できる。
【００１５】
望ましくは、上記装置制御部は、上記端末装置に対応して上記２つ以上のネットワーク各々を通したテストパケット送／受信結果による各ネットワークの性能情報を生成する性能検出装置との連動を通して、上記端末装置に対応するネットワーク別性能情報を認知できる。
【００１６】
望ましくは、上記装置制御部は、上記認知されたネットワーク別性能情報を基に特定ネットワークへの接続変更を誘導するネットワーク変更ポリシーを生成し、上記ネットワーク変更ポリシーを上記端末装置に提供できる。
【００１７】
上記目的を達成するための本発明の第２観点による端末装置は、２つ以上のネットワークに対する通信を支援するマルチ通信部；及び、特定ネットワーク変更ポリシーが受信されれば、上記ネットワーク変更ポリシーを基に接続しようとする特定ネットワークへの接続可否を判断し、接続が可能な場合は、上記マルチ通信部を介して上記特定ネットワークへの接続を試みて、接続するネットワークを変更する接続制御部；を含む。
【００１８】
望ましくは、上記２つ以上のネットワーク各々に対応する性能情報検出のための特定テストパケット（test packet）を上記２つ以上のネットワークを通して送／受信するテスト支援部を更に含むことができる。
【００１９】
上記目的を達成するための本発明の第３観点によるポリシー提供装置の動作方法は、２つ以上のネットワークのうち何れか一つのネットワークに接続してデータサービスを利用する端末装置に対して上記データサービスによるサービス状態情報を認知するサービス状態情報認知段階；及び、上記ポリシー設定情報に従い、上記認知されたサービス状態情報に対応して特定ネットワークへの接続変更を誘導するネットワーク変更ポリシーを生成して上記端末装置に提供するポリシー提供段階；を含む。
【００２０】
望ましくは、上記サービス状態情報は、上記端末装置が接続した上記ネットワークに対応する無線中継装置の負荷状態情報、上記端末装置で実行されるアプリケーションの種類情報、上記端末装置に対応する上記２つ以上のネットワーク各々に対するネットワーク別性能情報のうち少なくとも何れか一つを含むことができる。
【００２１】
望ましくは、上記サービス状態情報認知段階は、上記２つ以上のネットワーク各々に対応する無線中継装置の負荷状態をモニタリングした無線中継装置別負荷状態情報を獲得し、上記無線中継装置別負荷状態情報を基に特定変更基準に対応する負荷状態情報を有する無線中継装置の存否を検索し、検索された無線中継装置に接続された少なくとも一つの端末装置を認知できる。
【００２２】
望ましくは、上記ポリシー提供段階は、上記検索された無線中継装置の負荷状態情報を基に特定ネットワークへの接続変更を誘導するネットワーク変更ポリシーを生成し、上記ネットワーク変更ポリシーを上記認知された少なくとも一つの端末装置に提供できる。
【００２３】
望ましくは、上記サービス状態情報認知段階は、上記端末装置で実行されるアプリケーションの種類を判断する特定検出装置から提供される判断結果、又は上記端末装置から提供されるアプリケーション種類判断結果に基づいて、上記端末装置で実行されるアプリケーションの種類情報を認知できる。
【００２４】
望ましくは、上記ポリシー提供段階は、上記認知されたアプリケーション種類情報を基に特定ネットワークへの接続変更を誘導するネットワーク変更ポリシーを生成し、上記ネットワーク変更ポリシーを上記端末装置に提供できる。
【００２５】
望ましくは、上記サービス状態情報認知段階は、上記端末装置に対応して上記２つ以上のネットワーク各々を通したテストパケット送／受信結果による各ネットワークの性能情報を生成する性能検出装置との連動を通して、上記端末装置に対応するネットワーク別性能情報を認知できる。
【００２６】
望ましくは、上記ポリシー提供段階は、上記認知されたネットワーク別性能情報を基に特定ネットワークへの接続変更を誘導するネットワーク変更ポリシーを生成し、上記ネットワーク変更ポリシーを上記端末装置に提供できる。
【００２７】
上記目的を達成するための本発明の第４観点による端末装置の動作方法は、２つ以上のネットワークのうち何れか一つのネットワークに接続する段階；特定ネットワーク変更ポリシーが受信されれば、上記ネットワーク変更ポリシーを基に接続しようとする特定ネットワークへの接続可否を判断する接続可否判断段階；及び、上記接続可否を判断した結果、接続が可能な場合は、上記特定ネットワークへの接続を試みて、接続するネットワークを変更する接続変更段階；を含む。
【００２８】
望ましくは、上記２つ以上のネットワーク各々に対応する性能情報検出のための特定テストパケット（test packet）を上記２つ以上のネットワークを通して送／受信するテスト支援段階を更に含むことができる。
【発明の効果】
【００２９】
従って、本発明の異機種ネットワーク間接続変更方法を支援するポリシー提供装置及び端末装置によれば、異機種ネットワーク環境で各ネットワークに属する基地局、アクセスポイント（ＡＰ）のような無線中継装置の負荷状態、端末装置で実行されるアプリケーションの種類、端末装置に対する各ネットワーク別性能などに基づくネットワーク変更ポリシーを端末装置に提供し、これに従って端末装置が接続するネットワークを変更するよう誘導することにより、ネットワーク運営側が主導してデータトラフィックを効果的に配分しネットワークの安定性を確保することができる。
【図面の簡単な説明】
【００３０】
【図１】本発明の第１実施例による異機種ネットワーク間接続変更システムを示す構成図である。
【図２】本発明の第２実施例による異機種ネットワーク間接続変更システムを示す構成図である。
【図３】本発明の第３実施例による異機種ネットワーク間接続変更システムを示す構成図である。
【図４】本発明の第１実施例によるポリシー提供装置のブロック図である。
【図５】本発明の第１実施例による端末装置のブロック図である。
【図６】本発明の第２実施例によるポリシー提供装置のブロック図である。
【図７】本発明の第２実施例による端末装置のブロック図である。
【図８】本発明の第３実施例によるポリシー提供装置のブロック図である。
【図９】本発明の第３実施例による端末装置のブロック図である。
【図１０】本発明の第１実施例による異機種ネットワーク間接続変更方法を示す流れ図である。
【図１１】本発明の第２実施例による異機種ネットワーク間接続変更方法を示す流れ図である。
【図１２】本発明の第３実施例による異機種ネットワーク間接続変更方法を示す流れ図である。
【図１３】本発明の第１実施例によるポリシー提供装置の動作方法の流れ図である。
【図１４】本発明の第１実施例による端末装置の動作方法の流れ図である。
【図１５】本発明の第２実施例によるポリシー提供装置の動作方法の流れ図である。
【図１６】本発明の第２実施例による端末装置の動作方法の流れ図である。
【図１７】本発明の第３実施例によるポリシー提供装置の動作方法の流れ図である。
【図１８】本発明の第３実施例による端末装置の動作方法の流れ図である。
【発明を実施するための形態】
【００３１】
本発明による異機種ネットワーク間接続変更システムは、２つ以上のネットワークのうち何れか一つのネットワークに接続してデータサービスを利用する端末装置と、上記端末装置に対して上記データサービスによるサービス状態情報を認知し、上記認知されたサービス状態情報に対応して特定ネットワークへの接続変更を誘導するネットワーク変更ポリシーを生成して上記端末装置に提供するポリシー提供装置とを含む。
【００３２】
上記端末装置は、上記ポリシー提供装置から上記ネットワーク変更ポリシーが受信されれば、これを基に接続しようとする特定ネットワークへの接続可否を判断し、接続が可能な場合は、上記特定ネットワークへの接続を試みて、接続するネットワークを変更する。
【００３３】
以下、添付図面を参照しながら本発明の望ましい実施例について説明する。
【００３４】
図１、図２及び図３に示されているように、本発明による異機種ネットワーク間接続変更システムは、２つ以上のネットワーク１０のうち何れか一つのネットワーク（例：ＷＣＤＭＡ（登録商標））に接続してデータサービスを利用する端末装置１００、３００、６００と、端末装置１００、３００、６００に対して上記データサービスによるサービス状態情報を認知し、上記認知されたサービス状態情報に対応して特定ネットワーク（例：ＷＬＡＮ）への接続変更を誘導するネットワーク変更ポリシーを生成して端末装置１００、３００、６００に提供するポリシー提供装置２００、４００、７００とを含む。
【００３５】
ここで、端末装置１００、３００、６００は、多様な種類のネットワークを含む２つ以上のネットワーク１０に対する通信をマルチ支援する端末である。
【００３６】
ここで、異機種ネットワーク１０は、各事業者がサービスする、或いは多数の事業者が保有するＮ／Ｗ間の連動を通して端末装置が接続可能な対象となる全て又は一部の無線網を意味し、例えば、ＷＣＤＭＡ（登録商標）１、ＣＤＭＡ２、ＷＬＡＮ３（例：ＷｉＦｉ）、ＷｉＢｒｏ（登録商標）４、ＬＴＥ（登録商標）５などが連動された環境が該当し得る。
【００３７】
端末装置１００、３００、６００は、ポリシー提供装置２００からネットワーク変更ポリシーが受信されれば、これによる特定ネットワーク（例：ＷＬＡＮ）への接続可否を判断し、接続が可能な場合は、特定ネットワーク（例：ＷＬＡＮ）への接続を試みる。
【００３８】
これにより、端末装置１００、３００、６００は、接続するネットワークをＷＣＤＭＡ（登録商標）１からＷＬＡＮ３へ変更できる。
【００３９】
ここで、サービス状態情報は、端末装置が接続したネットワークに対応する無線中継装置の負荷状態情報、端末装置で実行されるアプリケーションの種類情報、端末装置に対応する２つ以上のネットワーク各々に対するネットワーク別性能情報のうち少なくとも何れか一つを含むことができる。
【００４０】
すなわち、サービス状態情報は、端末装置１００が２つ以上のネットワーク１０を通してデータサービスを利用するにあたって、ネットワークの負荷状態、端末装置１００で利用するデータサービスのアプリケーション種類、端末装置１００に対応するネットワーク別性能などによる情報である。
【００４１】
先ず、図１を参照しながら、サービス状態情報が、端末装置が接続したネットワークに対応する無線中継装置の負荷状態情報である場合を第１実施例として説明する。
【００４２】
２つ以上のネットワーク１０に含まれる各ネットワークは、自身に属する無線中継装置を備えている。例えば、ＷＣＤＭＡ（登録商標）１は自身に属する基地局装置を備え、ＷＬＡＮ３は自身に属するアクセスポイント（ＡＰ）を備えている。
【００４３】
端末装置１００は、２つ以上のネットワーク１０のうち何れか一つのネットワークに接続してデータサービスを利用できる。例えば、端末装置１００は、ＷＣＤＭＡ（登録商標）１の無線中継装置すなわち基地局装置を通してデータサービスを利用できる。
【００４４】
ポリシー提供装置２００は、２つ以上のネットワーク１０に含まれる各ネットワークの無線中継装置の負荷状態を監視し、あらかじめ設定された変更基準に該当する負荷状態を有する無線中継装置の存否を判断する。ポリシー提供装置２００は、判断の結果、特定無線中継装置の負荷状態が変更基準に該当する場合、上記特定無線中継装置の負荷状態に対応してネットワーク変更ポリシーを生成し、上記特定無線中継装置に接続された端末装置１００へネットワーク変更ポリシーを提供する。
【００４５】
具体的に説明すれば、ポリシー提供装置２００は、２つ以上のネットワーク１０各々に対応する無線中継装置の負荷状態をモニタリングした無線中継装置別負荷状態情報を獲得する。
【００４６】
例えば、第１実施例による異機種ネットワーク間接続変更システムは、負荷状態監視装置２９０を更に含むことができる。
【００４７】
負荷状態監視装置２９０は、２つ以上のネットワーク１０に含まれた各ネットワークに対応して、ネットワークに属する少なくとも一つの無線中継装置の負荷状態をモニタリングした無線中継装置別負荷状態情報を生成し、これをポリシー提供装置２００に提供する。
【００４８】
すなわち、負荷状態監視装置２９０は、ＷＣＤＭＡ（登録商標）１に属する基地局装置の負荷状態を持続的にモニタリングし、基地局装置に関する装置情報（例：基地局ＩＤ、位置情報等）及びモニタリングされた負荷状態情報を含む負荷関連情報を特定提供時期にポリシー提供装置２００に提供できる。そして、負荷状態監視装置２９０は、ＷＬＡＮ３に属するアクセスポイント（ＡＰ）の負荷状態を持続的にモニタリングし、アクセスポイント（ＡＰ）に関する装置情報（例：ＡＰ  ＩＤ、位置情報等）及びモニタリングされた該当負荷状態情報を含む負荷関連情報を特定提供時期にポリシー提供装置２００に提供できる。
【００４９】
このように、負荷状態監視装置２９０は、各ネットワークの負荷関連情報、すなわち各ネットワークの無線中継装置別負荷状態情報をポリシー提供装置２００に提供できる。
【００５０】
一方、第１実施例による異機種ネットワーク間接続変更システムは、上述のような負荷状態監視装置２９０を別途に構成しなくてもよい。この場合、ポリシー提供装置２００が、上述の負荷状態監視装置２９０のモニタリング機能を単独で行い、これによる無線中継装置別負荷状態情報を単独で生成することもできる。
【００５１】
ポリシー提供装置２００は、無線中継装置別負荷状態情報を基に、特定変更基準に対応する負荷状態情報を有する無線中継装置の存否を検索する。
【００５２】
そして、ポリシー提供装置２００は、特定変更基準に対応する負荷状態情報を有する無線中継装置が検索されれば、検索された無線中継装置（例：ＷＣＤＭＡ（登録商標）１の基地局装置）に接続された少なくとも一つの端末装置１００を認知する。
【００５３】
これと共に、ポリシー提供装置２００は、負荷状態に対応して特定ネットワークへの接続変更を誘導するために、あらかじめ定義された負荷ベースポリシー設定情報を基に、上記検索された無線中継装置（例：ＷＣＤＭＡ（登録商標）１の基地局装置）の負荷状態情報に応じたネットワーク変更ポリシーを生成する。
【００５４】
そして、ポリシー提供装置２００は、上記生成したネットワーク変更ポリシーを上記認知された少なくとも一つの端末装置１００に提供できる。
【００５５】
このようなポリシー提供装置２００は、生成したネットワーク変更ポリシーを該当する端末装置１００に提供するにあたって、Access Network Discovery and Selection Function（ＡＮＤＳＦ）又はＭＩＨ（Media Independent Handover）規格に従ってネットワーク変更ポリシーを端末装置１００に提供することが望ましい。
【００５６】
端末装置１００は、外部から、特にポリシー提供装置２００からネットワーク変更ポリシーが受信されれば、受信されたネットワーク変更ポリシーに従って変更しようとする特定ネットワーク（例：ＷＬＡＮ３）に対応して接続可否を判断し、接続が可能な場合は、接続するネットワークを接続中のＷＣＤＭＡ（登録商標）１からＷＬＡＮ３へ変更する。
【００５７】
次に、図２を参照しながら、サービス状態情報が、端末装置で実行されるアプリケーションの種類情報である場合を第２実施例として説明する。
【００５８】
端末装置３００は、２つ以上のネットワーク１０のうち何れか一つのネットワークに接続してデータサービスを利用できる。例えば、端末装置３００は、ＷＣＤＭＡ（登録商標）１の無線中継装置すなわち基地局装置を通してデータサービスを利用できる。
【００５９】
このような端末装置３００は、現在利用中のデータサービスに対応して当該装置で実行されるアプリケーションを認知するか、又はデータサービスによるデータトラフィックを単独で分析してアプリケーションの種類を判断し、これによるアプリケーション種類判断結果をポリシー提供装置４００に提供できる。
【００６０】
ポリシー提供装置４００は、端末装置３００で実行されるアプリケーションの種類を認知し、認知されたアプリケーション種類に応じたネットワーク変更ポリシーを生成して端末装置１００に提供する。
【００６１】
具体的に説明すれば、ポリシー提供装置４００は、端末装置３００で実行されるアプリケーションの種類を判断する特定検出装置５００から提供される判断結果、又は端末装置３００から提供されるアプリケーション種類の判断結果に基づいて、端末装置３００で実行されるアプリケーションの種類情報を認知する。
【００６２】
具体的に、検出装置５００は、２つ以上のネットワーク１０のうち何れか一つのネットワーク（例：ＷＣＤＭＡ（登録商標）１）に接続してデータサービスを利用する端末装置３００に対応して、端末装置３００がゲートウエイ装置（例：Packet Data Network Gateway）へ伝送するデータトラフィックを分析して端末装置３００で実行中のアプリケーションの種類を判断できる。
【００６３】
この時、検出装置５００は、２つ以上のネットワーク１０に接続してデータサービスを利用する全ての端末装置に対応して持続的に又は特定分析周期毎にデータトラフィックを分析し判断結果をポリシー提供装置４００に提供することができ、又はデータサービス利用を開始したりハンドオーバーを遂行しようとする特定端末装置に対応してデータトラフィックを分析し判断結果をポリシー提供装置４００に提供することができるであろう。
【００６４】
このような検出装置５００は、ゲートウエイ装置（例：Packet Data Network Gateway）に含まれる／備えられる構成であってもよく、又はゲートウエイ装置とは別途の構成であってもよい。
【００６５】
ポリシー提供装置４００は、アプリケーション種類に対応して特定ネットワークへの接続変更を誘導するために、あらかじめ定義されたアプリケーションベースポリシー設定情報を基に、上記認知されたアプリケーション種類情報に応じたネットワーク変更ポリシーを生成し、端末装置３００に提供できる。
【００６６】
端末装置３００は、外部から、特にポリシー提供装置４００からネットワーク変更ポリシーが受信されれば、受信されたネットワーク変更ポリシーに従って変更しようとする特定ネットワーク（例：ＷＬＡＮ３）に対応して接続可否を判断し、接続が可能な場合は、接続するネットワークを接続中のＷＣＤＭＡ（登録商標）１からＷＬＡＮ３へ変更する。
【００６７】
次に、図３を参照しながら、サービス状態情報が、端末装置に対応する２つ以上のネットワーク各々に対するネットワーク別性能情報である場合を第３実施例として説明する。
【００６８】
端末装置６００は、２つ以上のネットワーク１０のうち何れか一つのネットワークに接続してデータサービスを利用できる。例えば、端末装置６００は、ＷＣＤＭＡ（登録商標）１の無線中継装置すなわち基地局装置を通してデータサービスを利用できる。
【００６９】
このような端末装置６００は、外部の特定装置、具体的には性能検出装置８００とあらかじめ定義されたテストパケット（test packet）を送／受信して、性能検出装置８００で行なわれることになる各ネットワーク別性能情報の生成を支援できる。
【００７０】
性能検出装置８００は、端末装置６００と２つ以上のネットワーク１０に属する各ネットワークを通してあらかじめ定義されたテストパケットを送／受信する。また、性能検出装置８００は、各ネットワークを通したテストパケット送／受信結果及びあらかじめ定義された性能基準情報に基づいて、各ネットワークに関する性能情報を生成する。そして、性能検出装置８００は、端末装置６００に対応して生成した各ネットワーク別性能情報をポリシー提供装置７００に提供できる。
【００７１】
ここで、性能検出装置８００を具体的に説明すれば、性能検出装置８００は、特定端末装置６００と２つ以上のネットワーク１０に含まれた各ネットワークを通してあらかじめ定義されたテストパケット（test packet）を送／受信するテスト遂行部（図示省略）を含む。
【００７２】
性能検出装置８００は、上記各ネットワークを通したテストパケット送／受信結果及びあらかじめ定義された性能基準情報を基に、各ネットワークに関する性能情報を生成し、端末装置６００に対応して上記生成した各ネットワーク別性能情報を該当ポリシー提供装置７００に提供する性能情報提供部（図示省略）を含む。
【００７３】
テスト遂行部（図示省略）は、特定端末装置６００と２つ以上のネットワーク１０に属する各ネットワークを通してあらかじめ定義されたテストパケット（test packet）を送／受信する。
【００７４】
例えば、テスト遂行部（図示省略）は、特定検出時点に到達する端末装置６００に対応して、あらかじめ定義された特定サイズのテストパケットを生成し上記テストパケットをあらかじめ定義された伝送パターンに従って端末装置６００に送信し、これに対応する応答を受信することができる。
【００７５】
すなわち、テスト遂行部（図示省略）は、特定検出時点に到達する端末装置６００をネットワーク変更対象になる端末装置６００と判断し、該当端末装置６００に対応して、２つ以上のネットワーク１０に属する各ネットワークを通してあらかじめ定義された特定サイズのテストパケットを特定伝送パターンに従って送信することにより、該当端末装置６００に性能情報生成のためのテストを要請できる。これに対応してテスト遂行部（図示省略）は、各ネットワークを通して端末装置６００からあらかじめ定義されたサイズ及び／又は伝送パターンに従う応答すなわちテストパケットを受信することができる。
【００７６】
又は、テスト遂行部（図示省略）は、特定検出時点に到達する端末装置６００をネットワーク変更対象になる端末装置６００と判断し、性能情報生成のためのテスト実行を端末装置６００に要請し、これにより２つ以上のネットワーク１０に属する各ネットワークを通してあらかじめ定義された特定サイズのテストパケットを特定伝送パターンに従って端末装置６００から受信することができる。
【００７７】
又は、テスト遂行部（図示省略）は、特定テスト時点に到達することにより、２つ以上のネットワーク１０に属する各ネットワークを通してあらかじめ定義された特定サイズのテストパケットを特定伝送パターンに従って自発的に送信する端末装置６００から受信することができる。
【００７８】
ここで、特定検出時点は、端末装置６００が２つ以上のネットワーク１０のうちの特定ネットワーク（例：ＷＣＤＭＡ（登録商標）１）に接続してデータサービス利用を開始する時点、又はデータサービスを利用する利用時間中の周期的な特定検出時点、又はあらかじめ定義されたハンドオーバー遂行状況の発生によってハンドオーバーを遂行しようとする時点などが該当し得る。
【００７９】
性能情報提供部（図示省略）は、あらかじめ定義された性能基準情報を基に、上記各ネットワークを通したテストパケット送／受信結果による各ネットワークに関する性能情報を生成する。
【００８０】
すなわち、性能情報提供部（図示省略）は、２つ以上のネットワーク１０に属する各ネットワークに対応して、パケット遅延率、最大処理量（throughput）、最小処理量、平均処理量及びパケット損失率のうち少なくとも何れか一つによって性能を判断するためにあらかじめ定義された性能基準情報を保存する。
【００８１】
すなわち、あらかじめ定義された性能基準情報は、２つ以上のネットワーク１０に属する各ネットワークに対応して、該当ネットワークを通したテストパケット送／受信プロセスに対して性能情報生成の基準として、パケット遅延率、最大処理量（throughput）、最小処理量、平均処理量及びパケット損失率を含んで製作された情報と言える。
【００８２】
そして、性能情報提供部（図示省略）は、テスト遂行部（図示省略）により端末装置６００に対応して行われた各ネットワークを通したテストパケット送／受信結果を既保存の性能基準情報に反映して、該当端末装置６００に対応する各ネットワーク別性能情報を生成できる。
【００８３】
すなわち、端末装置６００に対応して行われた各ネットワークを通したテストパケット送／受信結果（例：パケット遅延率、最大処理量（throughput）、最小処理量、平均処理量及びパケット損失率のうち少なくとも何れか一つ）を性能基準情報に反映して、該当端末装置６００に対応する各ネットワーク別性能情報を生成できる。
【００８４】
そして、性能情報提供部（図示省略）は、端末装置６００に対応して生成した各ネットワーク別性能情報を該当ポリシー提供装置７００に提供する。
【００８５】
ポリシー提供装置７００は、端末装置６００に対応して、２つ以上のネットワーク１０に属する各ネットワークに関する性能情報を認知し、認知されたネットワーク別性能情報を基に特定ネットワークへの接続変更を誘導するネットワーク変更ポリシーを生成して端末装置６００に提供する。
【００８６】
具体的に説明すれば、ポリシー提供装置７００は、性能検出装置８００との連動を通して各端末装置６００に対応するネットワーク別性能情報を認知する。
【００８７】
そして、ポリシー提供装置７００は、各ネットワーク別性能情報に対応して特定ネットワークへの接続変更を誘導するために、あらかじめ定義された性能ベースポリシー設定情報を基に、端末装置６００に対応して認知された各ネットワーク別性能情報に応じたネットワーク変更ポリシーを生成し、端末装置６００に提供できる。
【００８８】
端末装置６００は、外部から、特にポリシー提供装置７００からネットワーク変更ポリシーが受信されれば、受信されたネットワーク変更ポリシーに従って変更しようとする特定ネットワーク（例：ＷＬＡＮ３）に対応して接続可否を判断し、接続が可能な場合は、接続するネットワークを接続中のＷＣＤＭＡ（登録商標）１からＷＬＡＮ３へ変更する。
【００８９】
以下では、図４を参照しながら上述の第１実施例による端末装置１００の構成を説明する。
【００９０】
本発明の第１実施例による端末装置１００は、２つ以上のネットワーク１０に対する通信を支援するマルチ通信部１１０と、特定ネットワーク変更ポリシーが受信されれば、上記ネットワーク変更ポリシーを基に接続しようとする特定ネットワークへの接続可否を判断し、接続が可能な場合は、マルチ通信部１１０を介して上記特定ネットワークへの接続を試みて、接続するネットワークを変更する接続制御部１３０とを含む。
【００９１】
マルチ通信部１１０は、多様な種類のネットワークを含む２つ以上のネットワーク１０に対する通信をマルチ支援する。
【００９２】
すなわち、マルチ通信部１１０は、ＷＣＤＭＡ（登録商標）１への接続及び通信サービス利用を支援する第１通信モジュール、ＣＤＭＡ２への接続及び通信サービス利用を支援する第２通信モジュール、ＷＬＡＮ３への接続及び通信サービス利用を支援する第３通信モジュール、ＷｉＢｒｏ（登録商標）４への接続及び通信サービス利用を支援する第４通信モジュール、ＬＴＥ（登録商標）５への接続及び通信サービス利用を支援する第５通信モジュール等複数の通信モジュールを含むことができる。
【００９３】
そして、本発明の第１実施例による端末装置１００は、情報提供部１２０を更に含むことができる。
【００９４】
情報提供部１２０は、マルチ通信部１１０を介して接続されたネットワークの無線中継装置に関する装置情報及び周辺ネットワークの無線中継装置に関する装置情報のうち少なくとも何れか一つを含む装置関連情報をポリシー提供装置２００に提供できる。
【００９５】
例えば、端末装置１００は、マルチ通信部１１０を介したネットワーク（例：ＷＣＤＭＡ（登録商標）１）内の基地局装置との接続を通してＷＣＤＭＡ（登録商標）１に接続してデータサービスを利用できる。
【００９６】
このようにネットワークに接続した場合、情報提供部１２０は、現在接続されているネットワークの無線中継装置（例：ＷＣＤＭＡ（登録商標）１の基地局装置）に関する装置情報（例：基地局ＩＤ、位置情報等）、及び周辺ネットワークの無線中継装置、例えば周辺に位置したＷＬＡＮ３に属するアクセスポイント（ＡＰ）に関する装置情報（例：ＡＰ  ＩＤ、位置情報等）のうち少なくとも何れか一つを含む装置関連情報をポリシー提供装置２００に提供できる。
【００９７】
接続制御部１３０は、ポリシー提供装置２００からネットワーク変更ポリシーが受信されれば、ポリシー提供装置２００から受信されたネットワーク変更ポリシーを基に、マルチ通信部１１０を介して接続するネットワークに対する接続ネットワーク変更手順を行なうことができる。
【００９８】
より具体的に説明すれば、接続制御部１３０は、ポリシー提供装置２００から受信されたネットワーク変更ポリシーを基に変更しようとする特定ネットワークに対応して接続可否を判断し、接続が可能な場合は、マルチ通信部１１０を介して変更しようとする特定ネットワークへの接続を試みることができる。
【００９９】
すなわち、接続制御部１３０は、ポリシー提供装置２００からネットワーク変更ポリシーが受信されれば、受信されたネットワーク変更ポリシーを基に変更しようとする特定ネットワーク（例：ＷＬＡＮ３）を認知する。そして、接続制御部１３０は、変更しようとするＷＬＡＮ３への接続及び通信サービスのためのマルチ通信部１１０の機能、すなわち上述の第３通信モジュールを活性化して、特定ネットワーク（例：ＷＬＡＮ３）への接続可否を判断する。
【０１００】
この時、ポリシー提供装置２００から受信されたネットワーク変更ポリシーは、異機種ネットワーク接続変更許容及び制限情報、最適のネットワーク種類情報、最適のネットワーク選択及び変更優先順位決定情報などを含むことができる。
【０１０１】
以後、接続制御部１３０は、ネットワーク（例：ＷＬＡＮ３）への接続が可能と判断されれば、マルチ通信部１１０を介して変更しようとする特定ネットワーク（例：ＷＬＡＮ３）への接続を試み、更に、接続中であったネットワーク（例：ＷＣＤＭＡ（登録商標）１）への接続状態を終了することによって、受信されたネットワーク変更ポリシーによる接続ネットワーク変更手順を行なうことができる。
【０１０２】
もちろん、接続制御部１３０は、特定ネットワーク（例：ＷＬＡＮ３）への接続が不可能と判断されれば、受信されたネットワーク変更ポリシーによる接続ネットワーク変更手順を行なわなくてもよい。
【０１０３】
この時、接続ネットワーク変更手順は、接続中のネットワークから他のネットワークへ接続変更する既存のハンドオーバー手順の全体又は一部を含むことができ、上述のハンドオーバー手順は、既存の異機種ネットワーク間のハンドオーバーを支援する端末装置でポリシーを基に行う一般的な手順に該当するため、具体的な説明は省略する。
【０１０４】
そして、接続制御部１３０は、ネットワーク変更ポリシーに従って、接続するネットワークを変更する変更遂行結果をポリシー提供装置２００に提供できる。
【０１０５】
例えば、接続制御部１３０は、ネットワーク変更ポリシーに従って、接続中であったネットワーク（例：ＷＣＤＭＡ（登録商標）１）から他の特定ネットワーク（例：ＷＬＡＮ３）へ接続を変更した場合、これに対応する変更遂行結果をポリシー提供装置２００に提供できる。
【０１０６】
また、接続制御部１３０は、上述のようにネットワーク（例：ＷＬＡＮ３）への接続が不可能と判断されるか、又は接続変更過程で発生したエラー等によりネットワーク変更ポリシーに従うネットワーク接続変更を行わなかった場合、これに対応する変更遂行結果をポリシー提供装置２００に提供できる。
【０１０７】
以下では、図５を参照しながら、上述の第１実施例によるポリシー提供装置２００の構成を説明する。
【０１０８】
本発明の第１実施例によるポリシー提供装置２００は、２つ以上のネットワーク１０のうち何れか一つのネットワークに接続してデータサービスを利用する端末装置１００に対して上記データサービスによるサービス状態情報を認知し、認知された上記サービス状態情報に対応して特定ネットワークへの接続変更を誘導するネットワーク変更ポリシーを生成して端末装置１００に提供する装置制御部２４０を含む。
【０１０９】
そして、本発明の第１実施例によるポリシー提供装置２００は、ポリシー設定情報保存部２１０及び情報保存部２２０を更に含むことができる。
【０１１０】
ポリシー設定情報保存部２１０は、２つ以上のネットワーク１０環境で端末装置１００が現在接続中のネットワークの負荷状態に対応して最適のネットワークへ接続を変更するよう誘導するために、あらかじめ定義された多様なネットワーク変更ポリシー、そして多様なネットワーク変更ポリシーのうちの特定ネットワーク変更ポリシーを生成／決定するにあたって根拠となるポリシー決定情報を含む負荷ベースポリシー設定情報を保存することができる。
【０１１１】
装置制御部２４０は、２つ以上のネットワーク１０のうち何れか一つのネットワークに接続してデータサービスを利用する端末装置１００に対して上記データサービスによるサービス状態情報を認知する。
【０１１２】
ここで、上述の第１実施例によれば、サービス状態情報は、端末装置１００が接続したネットワークに対応する無線中継装置の負荷状態情報を含む。
【０１１３】
以後、装置制御部２４０は、２つ以上のネットワーク１０に含まれる各ネットワークの無線中継装置の負荷状態を監視して、あらかじめ設定された変更基準に該当する負荷状態を有する無線中継装置の存否を判断する。装置制御部２４０は、判断の結果、特定無線中継装置の負荷状態が変更基準に該当する場合、上記特定無線中継装置の負荷状態に対応してネットワーク変更ポリシーを生成し、上記特定無線中継装置に接続された端末装置１００へネットワーク変更ポリシーを提供する。
【０１１４】
具体的に説明すれば、装置制御部２４０は、２つ以上のネットワーク１０各々に対応する無線中継装置の負荷状態をモニタリングした無線中継装置別負荷状態情報を獲得する。
【０１１５】
例えば、装置制御部２４０は、図１に示されているように、別途に構成された負荷状態監視装置３００との連動を通して、負荷状態監視装置３００から無線中継装置別負荷状態情報を獲得できる。
【０１１６】
一方、本発明の第１実施例によるポリシー提供装置２００は、負荷状態監視部２３０を更に含むことができる。
【０１１７】
負荷状態監視部２３０は、２つ以上のネットワーク１０に含まれた各ネットワークに対応して、ネットワークに属する少なくとも一つの無線中継装置の負荷状態をモニタリングした無線中継装置別負荷状態情報を生成し、これを装置制御部２４０に提供できる。
【０１１８】
すなわち、負荷状態監視部２３０は、２つ以上のネットワーク１０の各ネットワークに対応して、該当ネットワークに属する無線中継装置の負荷状態を持続的にモニタリングする。そして、負荷状態監視部２３０は、無線中継装置に関する装置情報（例：装置ＩＤ、位置情報等）及びモニタリングされた負荷状態を含む負荷関連情報を装置制御部２４０に提供することによって、各ネットワークの負荷関連情報すなわち各ネットワークの無線中継装置別負荷状態情報を装置制御部２４０に提供できる。
【０１１９】
以後、装置制御部２４０は、負荷状態監視装置３００又は負荷状態監視部２３０から獲得した無線中継装置別負荷状態情報を基に、各ネットワークに含まれたそれぞれの無線中継装置別負荷状態を監視して、あらかじめ設定された特定変更基準に該当する負荷状態を有する無線中継装置の存否を判断できる。
【０１２０】
この時、装置制御部２４０は、各ネットワーク別に変更基準をあらかじめ設定していることが望ましい。例えば、装置制御部２４０は、ＷＣＤＭＡ（登録商標）１に対応して負荷状態別に上／中／下に区分し“上”に該当する場合を変更状態に該当するものとあらかじめ定義し、ＷＬＡＮ３に対応して負荷状態を上／下に区分し“上”に該当する場合を変更状態に該当するものとあらかじめ定義できる。
【０１２１】
装置制御部２４０は、特定変更基準に対応する負荷状態情報を有する無線中継装置が検索されれば、検索された無線中継装置（例：ＷＣＤＭＡ（登録商標）１の基地局装置）に接続された少なくとも一つの端末装置１００を認知する。
【０１２２】
より具体的に説明すれば、情報保存部２２０は、各端末装置から提供される装置関連情報を保存する。
【０１２３】
すなわち、情報保存部２２０は、少なくとも一つの端末装置１００から提供される、接続されたネットワークの無線中継装置に関する装置情報及び周辺ネットワークの無線中継装置に関する装置情報のうち少なくとも何れか一つを含む装置関連情報を保存／管理する。
【０１２４】
また、ポリシー提供装置２００では、各端末装置１００に対応して、該当端末装置１００が現在接続されているネットワークの無線中継装置（例：ＷＣＤＭＡ（登録商標）１の基地局装置）に関する装置情報（例：基地局ＩＤ、位置情報等）、該当端末装置１００の周辺ネットワークの無線中継装置（例：ＷＬＡＮ３のアクセスポイント（ＡＰ））に関する装置情報（例：ＡＰ  ＩＤ、位置情報等）のうち少なくとも何れか一つを含む装置関連情報を管理できるようになる。
【０１２５】
装置制御部２４０は、特定変更基準に対応する負荷状態情報を有する無線中継装置が検索されれば、情報保存部２２０の装置関連情報を基に上記検索された無線中継装置（例：ＷＣＤＭＡ（登録商標）１の基地局装置）に接続された少なくとも一つの端末装置１００を認知できる。
【０１２６】
これと共に、装置制御部２４０は、負荷状態に対応して特定ネットワークへの接続変更を誘導するために、あらかじめ定義された負荷ベースポリシー設定情報を基に、上記検索された無線中継装置（例：ＷＣＤＭＡ（登録商標）１の基地局装置）の負荷状態情報に応じたネットワーク変更ポリシーを生成する。
【０１２７】
例えば、装置制御部２４０は、ＷＣＤＭＡ（登録商標）１に属する特定基地局装置の負荷状態があらかじめ設定された変更基準（例：上）に該当する場合、該当特定基地局装置の負荷状態を反映して負荷ベースポリシー設定情報を基に接続誘導する特定ネットワーク（例：ＷＬＡＮ３）を決定し、端末装置が接続ネットワークを変更するよう誘導するネットワーク変更ポリシーを生成／決定する。
【０１２８】
そして、装置制御部２４０は、上記生成したネットワーク変更ポリシーを上記認知された少なくとも一つの端末装置１００に提供できる。
【０１２９】
以後、上述で説明した通り、端末装置１００は、ポリシー提供装置２００から受信されたネットワーク変更ポリシーに従って変更しようとする特定ネットワーク（例：ＷＬＡＮ３）への接続が可能な場合、接続するネットワークを現在のＷＣＤＭＡ（登録商標）１からＷＬＡＮ３へ変更する。
【０１３０】
以下では、図６を参照しながら上述の第２実施例による端末装置３００の構成を説明する。
【０１３１】
本発明の第２実施例による端末装置３００は、２つ以上のネットワーク１０に対する通信を支援するマルチ通信部３１０と、特定ネットワーク変更ポリシーが受信されれば、上記ネットワーク変更ポリシーを基に接続しようとする特定ネットワークへの接続可否を判断し、接続が可能な場合は、マルチ通信部３１０を介して上記特定ネットワークへの接続を試みて、接続するネットワークを変更する接続制御部３３０とを含む。
【０１３２】
マルチ通信部３１０は、上述の第１実施例によるマルチ通信部１１０に対応するため、具体的な説明は省略する。
【０１３３】
そして、本発明の第２実施例による端末装置３００は、判断情報提供部３２０を更に含むことができる。
【０１３４】
判断情報提供部３２０は、端末装置３００がマルチ通信部３１０を介して２つ以上のネットワーク１０のうちの特定ネットワーク（例：ＷＣＤＭＡ（登録商標）１）に接続してデータサービスを利用中に、特定提供時点に到達すれば、現在利用中のデータサービスに対応して端末装置３００で実行されるアプリケーションを認知するか、又はデータサービスによるデータトラフィックを単独で分析してアプリケーションの種類を判断し、これによるアプリケーション種類判断結果をポリシー提供装置４００に提供できる。
【０１３５】
すなわち、判断情報提供部１２０は、マルチ通信部３１０を介して２つ以上のネットワーク１０のうちの特定ネットワーク（例：ＷＣＤＭＡ（登録商標）１）に接続してデータサービスを利用中に、特定提供時点に到達すれば、現在実行されているアプリケーションが既保存のアプリケーションリスト情報に含まれた種類に属する場合、実行中のアプリケーション種類を表すアプリケーション種類判断結果をポリシー提供装置４００に提供できる。又は、判断情報提供部１２０は、上記の特定提供時点への到達時、マルチ通信部３１０を介して伝送されるデータトラフィックを分析し、分析結果に基づいて現在実行中のアプリケーション種類を表すアプリケーション種類判断結果をポリシー提供装置４００に提供できる。
【０１３６】
ここで、特定提供時点は、マルチ通信部３１０を介して２つ以上のネットワーク１０のうちの特定ネットワーク（例：ＷＣＤＭＡ（登録商標）１）に接続してデータサービス利用を開始する時点、又はデータサービスを利用する利用時間中の持続的に又は特定分析周期毎に、又はあらかじめ定義されたハンドオーバー遂行状況の発生によってハンドオーバーを行なおうとする時点などが該当し得る。
【０１３７】
このように、ポリシー提供装置４００は、上述のように端末装置３００をはじめとする色々な端末装置から実行中のアプリケーション種類に対するアプリケーション種類判断結果の提供を受けるようになる。
【０１３８】
接続制御部３３０は、ポリシー提供装置４００からネットワーク変更ポリシーが受信されれば、ポリシー提供装置４００から受信されたネットワーク変更ポリシーを基に、マルチ通信部３１０を介して接続するネットワークに対する接続ネットワーク変更手順を行なうことができる。
【０１３９】
接続制御部３３０がネットワーク変更ポリシーを基に接続ネットワーク変更手順を行なうことは、上述の第１実施例で接続制御部１３０が行なうことと対応するため、具体的な説明は省略する。
【０１４０】
この時、ポリシー提供装置４００から受信されたネットワーク変更ポリシーは、異機種ネットワーク接続変更許容及び制限情報、最適のネットワーク種類情報、最適のネットワーク選択及び変更優先順位決定情報などを含むことができる。
【０１４１】
そして、接続制御部３３０は、ネットワーク変更ポリシーに従って、接続するネットワークを変更する変更遂行結果をポリシー提供装置４００に提供できる。
【０１４２】
また、接続制御部３３０は、上述のようにネットワーク（例：ＷＬＡＮ３）への接続が不可能と判断されるか、又は接続変更過程で発生したエラー等によりネットワーク変更ポリシーに従うネットワーク接続変更を行わなかった場合、これに対応する変更遂行結果をポリシー提供装置４００に提供できる。
【０１４３】
以下では、図７を参照しながら上述の第２実施例によるポリシー提供装置４００の構成を説明する。
【０１４４】
本発明の第２実施例によるポリシー提供装置４００は、２つ以上のネットワーク１０のうち何れか一つのネットワークに接続してデータサービスを利用する端末装置３００に対して上記データサービスによるサービス状態情報を認知し、上記認知されたサービス状態情報に対応して特定ネットワークへの接続変更を誘導するネットワーク変更ポリシーを生成して端末装置３００に提供する装置制御部４３０を含む。
【０１４５】
そして、本発明の第２実施例によるポリシー提供装置４００は、ポリシー設定情報保存部４１０及び情報保存部４２０を更に含むことができる。
【０１４６】
ポリシー設定情報保存部４１０は、２つ以上のネットワーク１０環境で端末装置３００が現在実行中のアプリケーション種類に対応して最適のネットワークへ接続を変更するよう誘導するために、あらかじめ定義された多様なネットワーク変更ポリシー、そして多様なネットワーク変更ポリシーのうちの特定ネットワーク変更ポリシーを生成／決定するにあたって根拠となるポリシー決定情報を含むアプリケーションベースポリシー設定情報を保存することができる。
【０１４７】
更に、本発明の第２実施例によるポリシー提供装置４００は、情報保存部４２０を更に含むことができる。
【０１４８】
情報保存部４２０は、各端末装置から提供される装置関連情報を保存する。
【０１４９】
すなわち、情報保存部４２０は、少なくとも一つの端末装置３００から提供される、接続されたネットワークの無線中継装置に関する装置情報及び周辺ネットワークの無線中継装置に関する装置情報のうち少なくとも何れか一つを含む装置関連情報を保存／管理する。
【０１５０】
よって、ポリシー提供装置４００では、各端末装置３００に対応して、該当端末装置３００が現在接続されているネットワークの無線中継装置（例：ＷＣＤＭＡ（登録商標）１の基地局装置）に関する装置情報（例：基地局ＩＤ、位置情報等）、該当端末装置３００の周辺ネットワークの無線中継装置（例：ＷＬＡＮ３のアクセスポイント（ＡＰ））に関する装置情報（例：ＡＰ  ＩＤ、位置情報等）のうち少なくとも何れか一つを含む装置関連情報を管理できるようになる。
【０１５１】
装置制御部４３０は、２つ以上のネットワーク１０のうち何れか一つのネットワークに接続してデータサービスを利用する端末装置３００に対して上記データサービスによるサービス状態情報を認知する。
【０１５２】
ここで、上述の第２実施例によれば、サービス状態情報は、端末装置３００で実行されるアプリケーションの種類情報を含む。
【０１５３】
このように、装置制御部４３０は、端末装置３００で実行されるアプリケーションの種類を認知し、認知されたアプリケーション種類によるネットワーク変更ポリシーを生成して端末装置３００に提供する。
【０１５４】
具体的に説明すれば、装置制御部４３０は、端末装置３００で実行されるアプリケーションの種類を判断する特定検出装置５００から提供される判断結果、又は端末装置３００から提供されるアプリケーション種類判断結果に基づいて、端末装置３００で実行するアプリケーションの種類情報を認知できる。
【０１５５】
すなわち、装置制御部４３０は、上述の図２に示されているように、各端末装置３００で実行されるアプリケーションの種類を判断する検出装置５００から受信された判断結果に基づいて、各端末装置３００で実行するアプリケーションの種類情報を認知できる。
【０１５６】
又は、装置制御部４３０は、各端末装置３００から提供されるアプリケーション種類判断結果に基づいて、各端末装置３００で実行するアプリケーションの種類情報を認知できる。
【０１５７】
装置制御部４３０は、このように検出装置５００又は各端末装置３００から提供される判断結果に基づいて端末装置３００で実行されるアプリケーションの種類が認知されれば、アプリケーションベースポリシー設定情報に基づいて上記認知されたアプリケーション種類に該当するネットワーク変更ポリシーを生成し、これを該当端末装置３００に提供する。
【０１５８】
この時、認知されるアプリケーションの種類は、アプリケーションベースポリシー設定情報の製作時に設定される種類情報によって多様であり得、例えば、特定基準値以上の大容量トラフィック、リアルタイムストリーミングトラフィック、双方向通信トラフィックなど多様な種類を含むことができる。
【０１５９】
従って、アプリケーションベースポリシー設定情報は、特定基準値以上の大容量トラフィック、リアルタイムストリーミングトラフィック、双方向通信トラフィックなど多様な種類のアプリケーションの各々及びこれらの組み合わせに対応して、２つ以上のネットワーク１０内に含まれるＷＣＤＭＡ（登録商標）１、ＣＤＭＡ２、ＷＬＡＮ３（例：ＷｉＦｉ）、ＷｉＢｒｏ（登録商標）４、ＬＴＥ（登録商標）５などのようなネットワークの中から最適のネットワークへ接続を変更するようあらかじめ設定された情報であってもよい。
【０１６０】
ここで、ＷＣＤＭＡ（登録商標）１に接続してデータサービスを利用する端末装置３００に対応して、端末装置３００で実行されるアプリケーションの種類を認知した結果、端末装置３００で大容量トラフィックのアプリケーション（例：ＶｏＤサービス）を実行中であると判断された場合を例として挙げる。この場合、装置制御部４３０は、アプリケーションベースポリシー設定情報に基づいて上記認知された大容量トラフィックのアプリケーションに対応する最適のネットワーク（例：ＷＬＡＮ３）を決定し、端末装置３００が接続ネットワークを変更するよう誘導するネットワーク変更ポリシーを生成／決定する。
【０１６１】
そして、装置制御部４３０は、上記生成／決定したネットワーク変更ポリシーを該当する端末装置３００に提供できる。
【０１６２】
以後、上述で説明した通り端末装置３００は、ポリシー提供装置４００から受信されたネットワーク変更ポリシーに従って変更しようとする特定ネットワーク（例：ＷＬＡＮ３）に接続が可能な場合、接続するネットワークを現在のＷＣＤＭＡ（登録商標）１からＷＬＡＮ３へ変更する。
【０１６３】
以下では、図８を参照しながら上述の第３実施例による端末装置６００の構成を説明する。
【０１６４】
本発明の第３実施例による端末装置６００は、２つ以上のネットワーク１０に対する通信を支援するマルチ通信部６１０と、特定ネットワーク変更ポリシーが受信されれば、上記ネットワーク変更ポリシーを基に接続しようとする特定ネットワークへの接続可否を判断し、接続が可能な場合は、マルチ通信部６１０を介して上記特定ネットワークへの接続を試みて、接続するネットワークを変更する接続制御部６３０とを含む。
【０１６５】
マルチ通信部６１０は、上述の第１実施例によるマルチ通信部１１０に対応するため、具体的な説明は省略する。
【０１６６】
そして、本発明の第３実施例による端末装置６００は、テスト支援部６２０を更に含むことができる。
【０１６７】
テスト支援部６２０は、２つ以上のネットワーク１０各々に対応する性能情報の検出のための特定テストパケット（test packet）を２つ以上のネットワーク１０を通して送／受信する。
【０１６８】
すなわち、テスト支援部６２０は、外部の特定装置、具体的には性能検出装置８００とあらかじめ定義されたテストパケットを送／受信することによって、性能検出装置８００で行なう各ネットワーク別性能情報の生成を支援できる。
【０１６９】
例えば、テスト支援部６２０は、性能検出装置８００から、２つ以上のネットワーク１０に含まれた各ネットワークを通してあらかじめ定義された特定サイズのテストパケットを特定伝送パターンに従って受信して、性能情報生成のためのテスト要請を受けたら、これに対応して各ネットワークを通してあらかじめ定義されたサイズ及び／又は伝送パターンに従う応答、すなわちテストパケットを性能検出装置８００に送信できる。
【０１７０】
又は、テスト支援部６２０は、性能検出装置８００から性能情報生成のためのテスト実行の要請を受けたら、これに従い２つ以上のネットワーク１０に含まれた各ネットワークを通してあらかじめ定義された特定サイズのテストパケットを特定伝送パターンに従って性能検出装置８００に送信できる。
【０１７１】
又は、テスト支援部６２０は、特定テスト時点に到達したら、２つ以上のネットワーク１０に含まれた各ネットワークを通してあらかじめ定義された特定サイズのテストパケットを特定伝送パターンに従って性能検出装置８００に送信できる。
【０１７２】
ここで、特定テスト時点には、マルチ通信部６１０を介して２つ以上のネットワーク１０のうちの特定ネットワーク（例：ＷＣＤＭＡ（登録商標）１）に接続してデータサービス利用を開始する時点、又はデータサービスを利用する利用時間中の周期的な特定テスト時点、又はあらかじめ定義されたハンドオーバー遂行状況の発生によりハンドオーバーを行なおうとする時点などが該当し得る。
【０１７３】
接続制御部６３０は、ポリシー提供装置７００からネットワーク変更ポリシーが受信されれば、ポリシー提供装置７００から受信されたネットワーク変更ポリシーを基に、マルチ通信部６１０を介して接続するネットワークに対する接続ネットワーク変更手順を行なうことができる。
【０１７４】
接続制御部６３０がネットワーク変更ポリシーを基に接続ネットワーク変更手順を行なうことは、上述の第１実施例で接続制御部１３０が行なうことと対応するため、具体的な説明は省略する。
【０１７５】
この時、ポリシー提供装置７００から受信されたネットワーク変更ポリシーは、異機種ネットワーク接続変更許容及び制限情報、最適のネットワーク種類情報、最適のネットワーク選択及び変更優先順位決定情報などを含むことができる。
【０１７６】
そして、接続制御部６３０は、ネットワーク変更ポリシーに従って、接続するネットワークを変更する変更遂行結果をポリシー提供装置７００に提供できる。
【０１７７】
また、接続制御部６３０は、上述のようにネットワーク（例：ＷＬＡＮ３）への接続が不可能と判断されるか、又は接続変更過程で発生したエラー等によりネットワーク変更ポリシーに従うネットワーク接続変更を行わなかった場合、これに対応する変更遂行結果をポリシー提供装置７００に提供できる。
【０１７８】
以下では、図９を参照しながら上述の第３実施例によるポリシー提供装置７００の構成を説明する。
【０１７９】
本発明の第３実施例によるポリシー提供装置７００は、２つ以上のネットワーク１０のうち何れか一つのネットワークに接続してデータサービスを利用する端末装置６００に対して上記データサービスによるサービス状態情報を認知し、認知した上記サービス状態情報に対応して特定ネットワークへの接続変更を誘導するネットワーク変更ポリシーを生成して端末装置６００に提供する装置制御部７２０を含む。
【０１８０】
そして、本発明の第３実施例によるポリシー提供装置７００は、ポリシー設定情報保存部７１０を更に含むことができる。
【０１８１】
ポリシー設定情報保存部７１０は、２つ以上のネットワーク１０環境で各ネットワーク別に性能を表す各ネットワーク別性能情報に対応して最適のネットワークへ接続を変更するよう誘導するために、あらかじめ定義された多様なネットワーク変更ポリシー、そして多様なネットワーク変更ポリシーのうちの特定ネットワーク変更ポリシーを生成／決定するにあたって根拠となるポリシー決定情報を含むアプリケーションベースポリシー設定情報を保存することができる。
【０１８２】
装置制御部７２０は、２つ以上のネットワーク１０のうち何れか一つのネットワークに接続してデータサービスを利用する端末装置６００に対して上記データサービスによるサービス状態情報を認知する。
【０１８３】
ここで、上述の第３実施例によれば、サービス状態情報は、端末装置６００に対応する２つ以上のネットワーク各々に対するネットワーク別性能情報を含む。
【０１８４】
このように、装置制御部７２０は、端末装置６００に対応するネットワーク別性能情報を認知し、認知されたネットワーク別性能情報を基に特定ネットワークへの接続変更を誘導するネットワーク変更ポリシーを生成し、生成したネットワーク変更ポリシーを端末装置６００に提供する。
【０１８５】
具体的に説明すれば、装置制御部７２０は、端末装置６００に対応して２つ以上のネットワーク１０各々を通したテストパケット送／受信結果による各ネットワークの性能情報を生成する性能検出装置８００との連動を通して、性能検出装置８００から端末装置６００に対応するネットワーク別性能情報を獲得できる。
【０１８６】
このように、装置制御部７２０は、端末装置６００に対応するネットワーク別性能情報を獲得／認知すれば、性能ベースポリシー設定情報を基に上記端末装置６００に対応して認知されたネットワーク別性能情報に応じたネットワーク変更ポリシーを生成し、これを該当端末装置６００に提供する。
【０１８７】
例えば、ＷＣＤＭＡ（登録商標）１に接続してデータサービスを利用する端末装置６００に対応して各ネットワーク別性能情報を認知した結果、端末装置６００に対応して、ＷＬＡＮ３のテストパケット送／受信結果（例：パケット遅延率、最大処理量（throughput）、最小処理量、平均処理量及びパケット損失率のうち少なくとも何れか一つ）が最も良好であり、次いでＷｉＢｒｏ（登録商標）４、ＬＴＥ（登録商標）５などの順に把握される場合を仮定してみる。
【０１８８】
この場合、装置制御部７２０は、性能ベースポリシー設定情報に基づいて、端末装置６００に対応して認知された各ネットワーク別性能情報に対応する最適のネットワーク（例：ＷＬＡＮ３）を決定し、端末装置６００が接続ネットワークを変更するよう誘導するネットワーク変更ポリシーを生成／決定する。
【０１８９】
そして、装置制御部７２０は、生成／決定したネットワーク変更ポリシーを端末装置６００に提供できる。
【０１９０】
更に、装置制御部７２０は、別途に構成された負荷状態監視装置（図示省略）との連動を通して、各ネットワーク別負荷関連情報を獲得できる。又は、装置制御部７２０は、別途の負荷状態監視装置（図示省略）との連動無しに、単独で異機種ネットワーク１０の各ネットワークに対応して該当ネットワークに属する無線中継装置の負荷状態をモニタリングして各ネットワーク別負荷関連情報を獲得できる。
【０１９１】
ここで、上述した例の通り、ＷＣＤＭＡ（登録商標）１に接続してデータサービスを利用する端末装置６００に対応して、各ネットワーク別性能情報を認知した結果、端末装置６００に対応して、ＷＬＡＮ３のテストパケット送／受信結果（例：パケット遅延率、最大処理量（throughput）、最小処理量、平均処理量及びパケット損失率のうち少なくとも何れか一つ）が最も良好であり、次いでＷｉＢｒｏ（登録商標）４、ＬＴＥ（登録商標）５などの順に把握される場合を仮定してみる。
【０１９２】
この場合、装置制御部７２０は、性能ベースポリシー設定情報に基づいて、端末装置６００に対応して認知された各ネットワーク別性能情報及び各ネットワーク別負荷関連情報を反映して、これによる最適のネットワーク（例：ＷＬＡＮ３）を決定し、端末装置６００が接続ネットワークを変更するよう誘導するネットワーク変更ポリシーを生成し、端末装置６００に提供できる。
【０１９３】
そして、上述で説明した通り端末装置６００は、ポリシー提供装置７００から受信されたネットワーク変更ポリシーに従って変更しようとする特定ネットワーク（例：ＷＬＡＮ３）に接続が可能な場合、接続するネットワークを現在のＷＣＤＭＡ（登録商標）１からＷＬＡＮ３へ変更する。
【０１９４】
以上で説明した通り、本発明による異機種ネットワーク間接続変更システムは、２つ以上のネットワークが混在する異機種ネットワーク環境で各ネットワークに属する基地局、アクセスポイント（ＡＰ）のような無線中継装置の負荷状態、端末装置で実行されるアプリケーションの種類、端末装置に対する各ネットワーク別性能などに基づくネットワーク変更ポリシーを端末装置に提供し、これにより、端末装置が接続するネットワークを変更するよう誘導することによって、ネットワーク運営側が主導してデータトラフィックを効果的に移転しネットワークの安定性を確保することができる。
【０１９５】
以下では、図１０乃至図１８を参照しながら、本発明の望ましい実施例による異機種ネットワーク間接続変更方法を説明する。ここで、説明の便宜のために、上述した図１乃至図９に示されている構成は該当参照番号を言及して説明する。
【０１９６】
先ず、図１０を参照しながら本発明の望ましい第１実施例による異機種ネットワーク間接続変更方法を説明する。
【０１９７】
端末装置１００は、２つ以上のネットワーク１０のうち何れか一つのネットワークに接続してデータサービスを利用できる（Ｓ１０）。例えば、端末装置１００は、ＷＣＤＭＡ（登録商標）１の無線中継装置すなわち基地局装置を通してデータサービスを利用できる。
【０１９８】
ポリシー提供装置２００は、２つ以上のネットワーク１０各々に対応する無線中継装置の負荷状態をモニタリングした無線中継装置別負荷状態情報を獲得して、無線中継装置別負荷状態を監視する（Ｓ２０）。
【０１９９】
ポリシー提供装置２００は、無線中継装置別負荷状態情報を基に、特定変更基準に対応する負荷状態情報を有する無線中継装置の存否を検索する（Ｓ３０）。
【０２００】
以後、ポリシー提供装置２００は、特定変更基準に対応する負荷状態情報を有する無線中継装置が検索されれば、検索された無線中継装置（例：ＷＣＤＭＡ（登録商標）１の基地局装置）に接続された少なくとも一つの端末装置１００を認知する。
【０２０１】
これと共に、ポリシー提供装置２００は、負荷状態に対応して特定ネットワークへの接続変更を誘導するために、あらかじめ定義された負荷ベースポリシー設定情報を基に、上記検索された無線中継装置（例：ＷＣＤＭＡ（登録商標）１の基地局装置）の負荷状態情報に応じたネットワーク変更ポリシーを生成する（Ｓ４０）。
【０２０２】
そして、ポリシー提供装置２００は、上記生成したネットワーク変更ポリシーを上記認知された少なくとも一つの端末装置１００に提供できる（Ｓ５０）。
【０２０３】
端末装置１００は、外部から、特にポリシー提供装置２００からネットワーク変更ポリシーが受信されれば、受信されたネットワーク変更ポリシーに従って、接続するネットワークを接続中のＷＣＤＭＡ（登録商標）１からＷＬＡＮ３へ変更し（Ｓ６０）、ネットワーク変更ポリシーによるネットワーク、例えばＷＬＡＮ３に接続できる（Ｓ７０）。
【０２０４】
以下では、図１１を参照しながら本発明の望ましい第２実施例による異機種ネットワーク間接続変更方法を説明する。
【０２０５】
端末装置３００は、２つ以上のネットワーク１０のうち何れか一つのネットワークに接続してデータサービスを利用できる（Ｓ１１０）。例えば、端末装置３００は、ＷＣＤＭＡ（登録商標）１の無線中継装置すなわち基地局装置を通してデータサービスを利用できる。
【０２０６】
ポリシー提供装置４００は、端末装置３００で実行されるアプリケーションの種類を判断する特定検出装置５００から提供される判断結果、又は端末装置３００から提供されるアプリケーション種類判断結果を受信する（Ｓ１２０）。
【０２０７】
ポリシー提供装置４００は、受信した判断結果に基づいて、端末装置３００で実行されるアプリケーションの種類を認知する（Ｓ１３０）。
【０２０８】
ポリシー提供装置４００は、アプリケーション種類に対応して特定ネットワークへの接続変更を誘導するために、あらかじめ定義されたアプリケーションベースポリシー設定情報を基に、上記認知されたアプリケーション種類情報に応じたネットワーク変更ポリシーを生成し（Ｓ１４０）、端末装置３００に提供できる（Ｓ１５０）。
【０２０９】
端末装置３００は、外部から、特にポリシー提供装置４００からネットワーク変更ポリシーが受信されれば、受信されたネットワーク変更ポリシーに従って、接続するネットワークを接続中のＷＣＤＭＡ（登録商標）１からＷＬＡＮ３へ変更し（Ｓ１６０）、ネットワーク変更ポリシーによるネットワーク例えばＷＬＡＮ３に接続できる（Ｓ１７０）。
【０２１０】
以下では、図１２を参照しながら本発明の望ましい第３実施例による異機種ネットワーク間接続変更方法を説明する。
【０２１１】
端末装置６００は、２つ以上のネットワーク１０のうち何れか一つのネットワークに接続してデータサービスを利用できる（Ｓ２１０）。例えば、端末装置６００は、ＷＣＤＭＡ（登録商標）１の無線中継装置すなわち基地局装置を通してデータサービスを利用できる。
【０２１２】
ポリシー提供装置７００は、端末装置６００に対応して、２つ以上のネットワーク１０に属する各ネットワークに関する性能情報を認知する（Ｓ２２０）。例えば、ポリシー提供装置７００は、性能検出装置８００との連動を通して、各端末装置６００に対応するネットワーク別性能情報を認知できる。
【０２１３】
ポリシー提供装置７００は、各ネットワーク別性能情報に対応して特定ネットワークへの接続変更を誘導するために、あらかじめ定義された性能ベースポリシー設定情報を基に、端末装置６００に対応して認知された各ネットワーク別性能情報に応じたネットワーク変更ポリシーを生成し（Ｓ２３０）、端末装置６００に提供する（Ｓ２４０）。
【０２１４】
端末装置６００は、外部から、特にポリシー提供装置７００からネットワーク変更ポリシーが受信されれば、受信されたネットワーク変更ポリシーに従って、接続するネットワークを接続中のＷＣＤＭＡ（登録商標）１からＷＬＡＮ３へ変更し（Ｓ２５０）、ネットワーク変更ポリシーに従うネットワーク、例えばＷＬＡＮ３に接続できる（Ｓ２６０）。
【０２１５】
以下では、図１３を参照しながら、本発明の第１実施例による端末装置の動作方法を説明する。
【０２１６】
本発明の第１実施例による端末装置の動作方法は、特定ネットワーク（例：ＷＣＤＭＡ（登録商標）１）の基地局装置に接続して２つ以上のネットワーク網１０のうちのＷＣＤＭＡ（登録商標）１を通してデータサービスを利用できる（Ｓ３００）。
【０２１７】
このようにネットワークに接続した場合、本発明の第１実施例による端末装置の動作方法は、現在接続されているネットワークの無線中継装置（例：ＷＣＤＭＡ（登録商標）１の基地局装置）に関する装置情報（例：基地局ＩＤ、位置情報等）、及び周辺ネットワークの無線中継装置、例えば周辺に位置したＷＬＡＮ３に属するアクセスポイント（ＡＰ）に関する装置情報（例：ＡＰ  ＩＤ、位置情報等）のうち少なくとも何れか一つを含む装置関連情報をポリシー提供装置２００に提供できる（Ｓ３１０）。
【０２１８】
本発明の第１実施例による端末装置の動作方法は、ポリシー提供装置２００からネットワーク変更ポリシーが受信されるか否かを判断する（Ｓ３２０）。
【０２１９】
本発明の第１実施例による端末装置の動作方法は、ネットワーク変更ポリシーが受信されなければ、現在のネットワーク接続を維持する（Ｓ３５０）。
【０２２０】
一方、本発明の第１実施例による端末装置の動作方法は、ネットワーク変更ポリシーが受信されれば、ネットワーク変更ポリシーを基に、接続するネットワークに対する接続ネットワーク変更手順を行なうことができる（Ｓ３３０）。
【０２２１】
より具体的に説明すれば、本発明の第１実施例による端末装置の動作方法は、ポリシー提供装置２００から受信されたネットワーク変更ポリシーを基に変更しようとする特定ネットワークに対応して接続可否を判断し、接続が可能な場合は、変更しようとする特定ネットワークへの接続を試みることができる。
【０２２２】
すなわち、本発明の第１実施例による端末装置の動作方法は、ポリシー提供装置２００からネットワーク変更ポリシーが受信されれば、受信されたネットワーク変更ポリシーを基に変更しようとする特定ネットワーク（例：ＷＬＡＮ３）を認知する。そして、本発明の第１実施例による端末装置の動作方法は、変更しようとするＷＬＡＮ３への接続及び通信サービスのための機能、すなわち上述の第３通信モジュールを活性化して、特定ネットワーク（例：ＷＬＡＮ３）への接続可否を判断する。
【０２２３】
この時、ポリシー提供装置２００から受信されたネットワーク変更ポリシーは、異機種ネットワーク接続変更許容及び制限情報、最適のネットワーク種類情報、最適のネットワーク選択及び変更優先順位決定情報などを含むことができる。
【０２２４】
以後、本発明の第１実施例による端末装置の動作方法は、ネットワーク（例：ＷＬＡＮ３）への接続が可能と判断されれば、変更しようとする特定ネットワーク（例：ＷＬＡＮ３）への接続を試み、更に接続中であったネットワーク（例：ＷＣＤＭＡ（登録商標）１）への接続状態を終了することによって、受信されたネットワーク変更ポリシーによる接続ネットワーク変更手順を行なうことができる。
【０２２５】
もちろん、本発明の第１実施例による端末装置の動作方法は、特定ネットワーク（例：ＷＬＡＮ３）への接続が不可能と判断されれば、受信されたネットワーク変更ポリシーによる接続ネットワーク変更手順を行なわなくてもよい。
【０２２６】
この時、接続ネットワーク変更手順は、接続中のネットワークから他のネットワークへの接続変更を行なう既存のハンドオーバー手順の全体又は一部を含むことができ、上述のハンドオーバー手順は、既存の異機種ネットワーク間のハンドオーバーを支援する端末装置でポリシーを基に行なう一般的な手順に該当するため、具体的な説明は省略する。
【０２２７】
そして、本発明の第１実施例による端末装置の動作方法は、ネットワーク変更ポリシーに従って、接続するネットワークを変更する変更遂行結果をポリシー提供装置２００に提供できる（Ｓ３４０）。
【０２２８】
例えば、本発明の第１実施例による端末装置の動作方法は、ネットワーク変更ポリシーに従って、接続中であったネットワーク（例：ＷＣＤＭＡ（登録商標）１）から他の特定ネットワーク（例：ＷＬＡＮ３）に接続を変更した場合、これに対応する変更遂行結果をポリシー提供装置２００に提供できる。
【０２２９】
また、本発明の第１実施例による端末装置の動作方法は、上述のようにネットワーク（例：ＷＬＡＮ３）への接続が不可能と判断されるか、又は接続変更過程で発生したエラー等により、ネットワーク変更ポリシーに従うネットワーク接続変更を行わなかった場合、これに対応する変更遂行結果をポリシー提供装置２００に提供できる。
【０２３０】
以下では、図１４を参照しながら、本発明の第１実施例によるポリシー提供装置の動作方法を説明する。
【０２３１】
本発明の第１実施例によるポリシー提供装置の動作方法は、２つ以上のネットワーク１０環境で端末装置１００が現在接続中のネットワークの負荷状態に対応して最適のネットワークに接続を変更するよう誘導するために、あらかじめ定義された多様なネットワーク変更ポリシー、そして多様なネットワーク変更ポリシーのうちの特定ネットワーク変更ポリシーを生成／決定するにあたって根拠となるポリシー決定情報を含む負荷ベースポリシー設定情報を保存することができる（Ｓ４００）。
【０２３２】
そして、本発明の第１実施例によるポリシー提供装置の動作方法は、各端末装置から提供される装置関連情報を保存する（Ｓ４１０）。すなわち、本発明の第１実施例によるポリシー提供装置の動作方法は、少なくとも一つの端末装置１００から提供される、接続されたネットワークの無線中継装置に関する装置情報及び周辺ネットワークの無線中継装置に関する装置情報のうち少なくとも何れか一つを含む装置関連情報を保存／管理する。
【０２３３】
本発明の第１実施例によるポリシー提供装置の動作方法は、２つ以上のネットワーク１０のうち何れか一つのネットワークに接続してデータサービスを利用する端末装置１００に対して上記データサービスに応じたサービス状態情報を認知する。
【０２３４】
ここで、上述の第１実施例によれば、サービス状態情報は、端末装置１００が接続したネットワークに対応する無線中継装置の負荷状態情報を含む。
【０２３５】
そして、本発明の第１実施例によるポリシー提供装置の動作方法は、２つ以上のネットワーク１０に含まれる各ネットワークの無線中継装置の負荷状態を監視する。本発明の第１実施例によるポリシー提供装置の動作方法は、あらかじめ設定された変更基準に該当する負荷状態を有する無線中継装置の存否を判断する。本発明の第１実施例によるポリシー提供装置の動作方法は、判断の結果、特定無線中継装置の負荷状態が変更基準に該当する場合、上記特定無線中継装置の負荷状態に対応してネットワーク変更ポリシーを生成する。本発明の第１実施例によるポリシー提供装置の動作方法は、上記特定無線中継装置に接続された端末装置１００にネットワーク変更ポリシーを提供する。
【０２３６】
具体的に説明すれば、本発明の第１実施例によるポリシー提供装置の動作方法は、２つ以上のネットワーク１０各々に対応する無線中継装置の負荷状態をモニタリングした無線中継装置別負荷状態情報を獲得する。
【０２３７】
例えば、本発明の第１実施例によるポリシー提供装置の動作方法は、図１に示されているように、別途に構成された負荷状態監視装置２９０との連動を通して、負荷状態監視装置２９０から無線中継装置別負荷状態情報を獲得できる。
【０２３８】
一方、本発明の第１実施例によるポリシー提供装置の動作方法は、２つ以上のネットワーク１０に含まれた各ネットワークに対応して、ネットワークに属する少なくとも一つの無線中継装置の負荷状態をモニタリングした無線中継装置別負荷状態情報を単独で生成できる。
【０２３９】
そして、本発明の第１実施例によるポリシー提供装置の動作方法は、負荷状態監視装置２９０又は負荷状態監視部２３０から生成して獲得した無線中継装置別負荷状態情報を基に、各ネットワークに含まれたそれぞれの無線中継装置別負荷状態を監視して、あらかじめ設定された特定変更基準に該当する負荷状態を有する無線中継装置の存否を判断できる（Ｓ４３０）。
【０２４０】
この時、本発明の第１実施例によるポリシー提供装置の動作方法は、各ネットワーク別に変更基準をあらかじめ設定していることが望ましい。
【０２４１】
例えば、本発明の第１実施例によるポリシー提供装置の動作方法は、ＷＣＤＭＡ（登録商標）１に対応して負荷状態別に上／中／下に区分し“上”に該当する場合を変更状態に該当することとあらかじめ定義し、ＷＬＡＮ３に対応して負荷状態を上／下に区分し“上”に該当する場合を変更状態に該当することとあらかじめ定義できる。
【０２４２】
以後、本発明の第１実施例によるポリシー提供装置の動作方法は、特定変更基準に対応する負荷状態情報を有する無線中継装置が検索されれば、検索された無線中継装置（例：ＷＣＤＭＡ（登録商標）１の基地局装置）に接続された少なくとも一つの端末装置１００を認知する（Ｓ４５０）。
【０２４３】
本発明の第１実施例によるポリシー提供装置の動作方法は、特定変更基準に対応する負荷状態情報を有する無線中継装置が検索されれば、Ｓ４１０段階で保存された装置関連情報を基に、上記検索された無線中継装置（例：ＷＣＤＭＡ（登録商標）１の基地局装置）に接続された少なくとも一つの端末装置１００を認知できる。
【０２４４】
これと共に、本発明の第１実施例によるポリシー提供装置の動作方法は、負荷状態に対応して特定ネットワークへの接続変更を誘導するために、あらかじめ定義された負荷ベースポリシー設定情報を基に、上記検索された無線中継装置（例：ＷＣＤＭＡ（登録商標）１の基地局装置）の負荷状態情報に応じたネットワーク変更ポリシーを生成する（Ｓ４４０）。
【０２４５】
例えば、本発明の第１実施例によるポリシー提供装置の動作方法は、ＷＣＤＭＡ（登録商標）１に属する特定基地局装置の負荷状態があらかじめ設定された変更基準（例：上）に該当する場合、該当特定基地局装置の負荷状態を反映して負荷ベースポリシー設定情報を基に接続誘導する特定ネットワーク（例：ＷＬＡＮ３）を決定し、端末装置が接続ネットワークを変更するよう誘導するネットワーク変更ポリシーを生成／決定する。
【０２４６】
そして、本発明の第１実施例によるポリシー提供装置の動作方法は、上記生成したネットワーク変更ポリシーを上記認知された少なくとも一つの端末装置１００に提供できる（Ｓ４６０）。
【０２４７】
以後、上述で説明した通り端末装置１００は、ポリシー提供装置２００から受信されたネットワーク変更ポリシーに従って変更しようとする特定ネットワーク（例：ＷＬＡＮ３）に接続が可能な場合、接続するネットワークを現在のＷＣＤＭＡ（登録商標）１からＷＬＡＮ３へ変更する。
【０２４８】
以下では、図１５を参照しながら、本発明の第２実施例による端末装置の動作方法を説明する。
【０２４９】
本発明の第２実施例による端末装置の動作方法は、特定ネットワーク（例：ＷＣＤＭＡ（登録商標）１）の基地局装置に接続して２つ以上のネットワーク網１０のうちＷＣＤＭＡ（登録商標）１を通してデータサービスを利用できる（Ｓ５００）。
【０２５０】
このようにネットワークに接続した場合、本発明の第２実施例による端末装置の動作方法は、現在接続されているネットワークの無線中継装置（例：ＷＣＤＭＡ（登録商標）１の基地局装置）に関する装置情報（例：基地局ＩＤ、位置情報等）、及び周辺ネットワークの無線中継装置、例えば周辺に位置したＷＬＡＮ３に属するアクセスポイント（ＡＰ）に関する装置情報（例：ＡＰ  ＩＤ、位置情報等）のうち少なくとも何れか一つを含む装置関連情報をポリシー提供装置４００に提供できる（Ｓ５１０）。
【０２５１】
そして、本発明の第２実施例による端末装置の動作方法は、端末装置で実行されるアプリケーションの種類を判断したアプリケーション種類判断結果をポリシー提供装置４００に提供できる（Ｓ５２０）。
【０２５２】
すなわち、本発明の第２実施例による端末装置の動作方法は、２つ以上のネットワーク１０のうちの特定ネットワーク（例：ＷＣＤＭＡ（登録商標）１）に接続してデータサービスを利用中に、特定提供時点に到達すれば、現在実行されているアプリケーションが既保存のアプリケーションリスト情報に含まれた種類に属する場合、実行中のアプリケーション種類を表すアプリケーション種類判断結果をポリシー提供装置４００に提供できる。
【０２５３】
又は、本発明の第２実施例による端末装置の動作方法は、上記の特定提供時点への到達時、データサービスによって伝送されるデータトラフィックを分析し、分析結果に基づいて現在実行中のアプリケーション種類を表すアプリケーション種類判断結果をポリシー提供装置４００に提供できる。
【０２５４】
本発明の第２実施例による端末装置の動作方法は、ポリシー提供装置４００からネットワーク変更ポリシーが受信されるか否かを判断する（Ｓ５３０）。
【０２５５】
本発明の第２実施例による端末装置の動作方法は、ネットワーク変更ポリシーが受信されなければ、現在のネットワーク接続を維持する（Ｓ５３５）。
【０２５６】
一方、本発明の第２実施例による端末装置の動作方法は、ネットワーク変更ポリシーが受信されれば、ネットワーク変更ポリシーを基に、接続するネットワークに対する接続ネットワーク変更手順を行なうことができる（Ｓ５４０）。
【０２５７】
より具体的に説明すれば、本発明の第２実施例による端末装置の動作方法は、ポリシー提供装置４００から受信されたネットワーク変更ポリシーを基に変更しようとする特定ネットワークに対応して接続可否を判断し、接続が可能な場合は、変更しようとする特定ネットワークへの接続を試みることができる。
【０２５８】
すなわち、本発明の第２実施例による端末装置の動作方法は、ポリシー提供装置４００からネットワーク変更ポリシーが受信されれば、受信されたネットワーク変更ポリシーを基に変更しようとする特定ネットワーク（例：ＷＬＡＮ３）を認知する。そして、本発明の第２実施例による端末装置の動作方法は、変更しようとするＷＬＡＮ３への接続及び通信サービスのための機能、すなわち上述の第３通信モジュールを活性化して、特定ネットワーク（例：ＷＬＡＮ３）への接続可否を判断する。
【０２５９】
この時、ポリシー提供装置４００から受信されたネットワーク変更ポリシーは、異機種ネットワーク接続変更許容及び制限情報、最適のネットワーク種類情報、最適のネットワーク選択及び変更優先順位決定情報などを含むことができる。
【０２６０】
以後、本発明の第２実施例による端末装置の動作方法は、ネットワーク（例：ＷＬＡＮ３）への接続が可能と判断されれば、変更しようとする特定ネットワーク（例：ＷＬＡＮ３）への接続を試み、更に接続中であったネットワーク（例：ＷＣＤＭＡ（登録商標）１）への接続状態を終了することによって、受信されたネットワーク変更ポリシーによる接続ネットワーク変更手順を行なうことができる。
【０２６１】
もちろん、本発明の第２実施例による端末装置の動作方法は、特定ネットワーク（例：ＷＬＡＮ３）への接続が不可能と判断されれば、受信されたネットワーク変更ポリシーによる接続ネットワーク変更手順を行なわないことができる。
【０２６２】
そして、本発明の第２実施例による端末装置の動作方法は、ネットワーク変更ポリシーに従って、接続するネットワークを変更する変更遂行結果をポリシー提供装置４００に提供できる（Ｓ５５０）。
【０２６３】
例えば、本発明の第２実施例による端末装置の動作方法は、ネットワーク変更ポリシーに従って、接続中であったネットワーク（例：ＷＣＤＭＡ（登録商標）１）から他の特定ネットワーク（例：ＷＬＡＮ３）へ接続を変更した場合、これに対応する変更遂行結果をポリシー提供装置４００に提供できる。
【０２６４】
また、本発明の第２実施例による端末装置の動作方法は、上述のようにネットワーク（例：ＷＬＡＮ３）への接続が不可能と判断されるか、又は接続変更過程で発生したエラー等によりネットワーク変更ポリシーに従うネットワーク接続変更を行わなかった場合、これに対応する変更遂行結果をポリシー提供装置４００に提供できる。
【０２６５】
以下では、図１６を参照しながら、本発明の第２実施例によるポリシー提供装置の動作方法を説明する。
【０２６６】
本発明の第２実施例によるポリシー提供装置の動作方法は、２つ以上のネットワーク１０環境で端末装置３００が現在実行中のアプリケーション種類に対応して最適のネットワークに接続を変更するよう誘導するために、あらかじめ定義された多様なネットワーク変更ポリシー、そして多様なネットワーク変更ポリシーのうちの特定ネットワーク変更ポリシーを生成／決定するにあたって根拠となるポリシー決定情報を含むアプリケーションベースポリシー設定情報を保存することができる（Ｓ６００）。
【０２６７】
そして、本発明の第２実施例によるポリシー提供装置の動作方法は、各端末装置から提供される装置関連情報を保存する（Ｓ６１０）。
【０２６８】
すなわち、本発明の第２実施例によるポリシー提供装置の動作方法は、少なくとも一つの端末装置３００から提供される、接続されたネットワークの無線中継装置に関する装置情報及び周辺ネットワークの無線中継装置に関する装置情報のうち少なくとも何れか一つを含む装置関連情報を保存／管理する。
【０２６９】
本発明の第２実施例によるポリシー提供装置の動作方法は、２つ以上のネットワーク１０のうち何れか一つのネットワークに接続してデータサービスを利用する端末装置３００に対して上記データサービスによるサービス状態情報を認知する。
【０２７０】
ここで、上述の第２実施例によれば、サービス状態情報は、端末装置３００で実行されるアプリケーションの種類情報を含む。
【０２７１】
このように、本発明の第２実施例によるポリシー提供装置の動作方法は、端末装置３００で実行されるアプリケーションの種類を認知し、認知されたアプリケーション種類によるネットワーク変更ポリシーを生成して端末装置３００に提供する。
【０２７２】
具体的に説明すれば、本発明の第２実施例によるポリシー提供装置の動作方法は、端末装置３００で実行されるアプリケーションの種類を判断する特定検出装置５００から提供される判断結果、又は端末装置３００から提供されるアプリケーション種類判断結果を受信する（Ｓ６２０）。
【０２７３】
以後、本発明の第２実施例によるポリシー提供装置の動作方法は、検出装置５００又は各端末装置３００から受信される判断結果に基づいて、端末装置３００で実行するアプリケーションの種類情報を認知できる。
【０２７４】
この時、認知されるアプリケーションの種類は、アプリケーションベースポリシー設定情報の製作時に設定される種類情報によって多様であり得、例えば特定基準値以上の大容量トラフィック、リアルタイムストリーミングトラフィック、双方向通信トラフィックなど多様な種類を含むことができる。
【０２７５】
従って、アプリケーションベースポリシー設定情報は、特定基準値以上の大容量トラフィック、リアルタイムストリーミングトラフィック、双方向通信トラフィックなど多様な種類のアプリケーションの各々及びこれらの組合せに対応して、２つ以上のネットワーク１０内に含まれるＷＣＤＭＡ（登録商標）１、ＣＤＭＡ２、ＷＬＡＮ３（例：ＷｉＦｉ）、ＷｉＢｒｏ（登録商標）４、ＬＴＥ（登録商標）５などのようなネットワークの中から最適のネットワークへ接続を変更するようにあらかじめ設定された情報であり得る。
【０２７６】
以後、本発明の第２実施例によるポリシー提供装置の動作方法は、アプリケーションベースポリシー設定情報に基づいて、上記認知されたアプリケーション種類に該当するネットワーク変更ポリシーを生成し（Ｓ６３０）、これを該当端末装置３００に提供する（Ｓ６４０）。
【０２７７】
ここで、ＷＣＤＭＡ（登録商標）１に接続してデータサービスを利用する端末装置３００に対応して、端末装置３００で実行されるアプリケーションの種類を認知した結果、端末装置３００で大容量トラフィックのアプリケーション（例：ＶｏＤサービス）が実行中と判断された場合を例に挙げてみる。
【０２７８】
この場合、本発明の第２実施例によるポリシー提供装置の動作方法は、アプリケーションベースポリシー設定情報に基づいて、上記認知された大容量トラフィックのアプリケーションに対応する最適のネットワーク（例：ＷＬＡＮ３）を決定し、端末装置３００が接続ネットワークを変更するよう誘導するネットワーク変更ポリシーを生成／決定する。
【０２７９】
そして、本発明の第２実施例によるポリシー提供装置の動作方法は、上記生成したネットワーク変更ポリシーを該当する端末装置３００に提供できる。
【０２８０】
以後、上述で説明した通り端末装置３００は、ポリシー提供装置４００から受信されたネットワーク変更ポリシーに従って変更しようとする特定ネットワーク（例：ＷＬＡＮ３）に接続が可能な場合、接続するネットワークを現在のＷＣＤＭＡ（登録商標）１からＷＬＡＮ３へ変更する。
【０２８１】
以下では、図１７を参照しながら、本発明の第３実施例による端末装置の動作方法を説明する。
【０２８２】
本発明の第３実施例による端末装置の動作方法は、特定ネットワーク（例：ＷＣＤＭＡ（登録商標）１）の基地局装置に接続して２つ以上のネットワーク網１０のうちＷＣＤＭＡ（登録商標）１を通してデータサービスを利用できる（Ｓ７００）。
【０２８３】
このようにネットワークに接続した場合、本発明の第３実施例による端末装置の動作方法は、現在接続されているネットワークの無線中継装置（例：ＷＣＤＭＡ（登録商標）１の基地局装置）に関する装置情報（例：基地局ＩＤ、位置情報等）、及び周辺ネットワークの無線中継装置、例えば周辺に位置したＷＬＡＮ３に属するアクセスポイント（ＡＰ）に関する装置情報（例：ＡＰ  ＩＤ、位置情報等）のうち少なくとも何れか一つを含む装置関連情報をポリシー提供装置７００に提供できる（Ｓ７１０）。
【０２８４】
そして、本発明の第３実施例による端末装置の動作方法は、２つ以上のネットワーク１０各々に対応する性能情報検出のための特定テストパケット（test packet）を２つ以上のネットワーク１０を通して送／受信する（Ｓ７２０）。
【０２８５】
すなわち、本発明の第３実施例による端末装置の動作方法は、外部の特定装置、具体的には性能検出装置８００とあらかじめ定義されたテストパケットを送／受信することによって、性能検出装置８００で行なう各ネットワーク別性能情報の生成を支援できる。
【０２８６】
例えば、本発明の第３実施例による端末装置の動作方法は、性能検出装置８００から２つ以上のネットワーク１０に含まれた各ネットワークを通して、あらかじめ定義された特定サイズのテストパケットを特定伝送パターンに従って受信して性能情報生成のためのテスト要請を受けたら、これに対応して各ネットワークを通してあらかじめ定義された特定のサイズを有する及び／又はあらかじめ定義された特定の伝送パターンによる応答すなわちテストパケットを性能検出装置８００に送信できる。
【０２８７】
又は、本発明の第３実施例による端末装置の動作方法は、性能検出装置８００から性能情報生成のためのテスト実行の要請を受けたら、これに従って２つ以上のネットワーク１０に含まれた各ネットワークを通してあらかじめ定義された特定サイズのテストパケットを特定伝送パターンに従って性能検出装置８００に送信できる。
【０２８８】
又は、本発明の第３実施例による端末装置の動作方法は、特定テスト時点に到達すれば、２つ以上のネットワーク１０に含まれた各ネットワークを通してあらかじめ定義された特定サイズのテストパケットを特定伝送パターンに従って性能検出装置８００に送信できる。
【０２８９】
ここで、特定テスト時点には、端末装置６００が２つ以上のネットワーク１０のうちの特定ネットワーク（例：ＷＣＤＭＡ（登録商標）１）に接続してデータサービス利用を開始する時点、又はデータサービスを利用する利用時間中の周期的な特定テスト時点、又はあらかじめ定義されたハンドオーバー遂行状況の発生によりハンドオーバーを行なおうとする時点などが該当し得る。
【０２９０】
本発明の第３実施例による端末装置の動作方法は、ポリシー提供装置７００からネットワーク変更ポリシーが受信されるか否かを判断する（Ｓ７３０）。
【０２９１】
本発明の第３実施例による端末装置の動作方法は、ネットワーク変更ポリシーが受信されなければ、現在のネットワーク接続を維持する（Ｓ７３５）。
【０２９２】
一方、本発明の第３実施例による端末装置の動作方法は、ネットワーク変更ポリシーが受信されれば、ネットワーク変更ポリシーを基に、接続するネットワークに対する接続ネットワーク変更手順を行なうことができる（Ｓ７４０）。
【０２９３】
より具体的に説明すれば、本発明の第３実施例による端末装置の動作方法は、ポリシー提供装置７００から受信されたネットワーク変更ポリシーを基に変更しようとする特定ネットワークに対応して接続可否を判断し、接続が可能な場合は、変更しようとする特定ネットワークへの接続を試みることができる。
【０２９４】
すなわち、本発明の第３実施例による端末装置の動作方法は、ポリシー提供装置７００からネットワーク変更ポリシーが受信されれば、受信されたネットワーク変更ポリシーを基に変更しようとする特定ネットワーク（例：ＷＬＡＮ３）を認知する。そして、本発明の第３実施例による端末装置の動作方法は、変更しようとするＷＬＡＮ３への接続及び通信サービスのための機能、すなわち上述の第３通信モジュールを活性化して、特定ネットワーク（例：ＷＬＡＮ３）への接続可否を判断する。
【０２９５】
この時、ポリシー提供装置７００から受信されたネットワーク変更ポリシーは、異機種ネットワーク接続変更許容及び制限情報、最適のネットワーク種類情報、最適のネットワーク選択及び変更優先順位決定情報などを含むことができる。
【０２９６】
以後、本発明の第３実施例による端末装置の動作方法は、ネットワーク（例：ＷＬＡＮ３）への接続が可能と判断されれば、変更しようとする特定ネットワーク（例：ＷＬＡＮ３）への接続を試み、更に接続中であったネットワーク（例：ＷＣＤＭＡ（登録商標）１）への接続状態を終了することによって、受信されたネットワーク変更ポリシーによる接続ネットワーク変更手順を行なうことができる。
【０２９７】
もちろん、本発明の第３実施例による端末装置の動作方法は、特定ネットワーク（例：ＷＬＡＮ３）への接続が不可能と判断されれば、受信されたネットワーク変更ポリシーによる接続ネットワーク変更手順を行なわなくてもよい。
【０２９８】
そして、本発明の第３実施例による端末装置の動作方法は、ネットワーク変更ポリシーに従って、接続するネットワークを変更する変更遂行結果をポリシー提供装置７００に提供できる（Ｓ７５０）。
【０２９９】
例えば、本発明の第３実施例による端末装置の動作方法は、ネットワーク変更ポリシーに従って、接続中であったネットワーク（例：ＷＣＤＭＡ（登録商標）１）から他の特定ネットワーク（例：ＷＬＡＮ３）に接続を変更した場合、これに対応する変更遂行結果をポリシー提供装置７００に提供できる。
【０３００】
また、本発明の第３実施例による端末装置の動作方法は、上述のようにネットワーク（例：ＷＬＡＮ３）に対する接続が不可能と判断されるか、又は接続変更過程で発生したエラー等によりネットワーク変更ポリシーに従うネットワーク接続変更を行わなかった場合、これに対応する変更遂行結果をポリシー提供装置７００に提供できる。
【０３０１】
以下では、図１８を参照しながら、本発明の第３実施例によるポリシー提供装置の動作方法を説明する。
【０３０２】
本発明の第３実施例によるポリシー提供装置の動作方法は、２つ以上のネットワーク１０環境で各ネットワーク別に性能を表す各ネットワーク別性能情報に対応して最適のネットワークへ接続を変更するよう誘導するために、あらかじめ定義された多様なネットワーク変更ポリシー、そして多様なネットワーク変更ポリシーのうちの特定ネットワーク変更ポリシーを生成／決定するにあたって根拠となるポリシー決定情報を含むアプリケーションベースポリシー設定情報を保存することができる（Ｓ８００）。
【０３０３】
そして、本発明の第３実施例によるポリシー提供装置の動作方法は、各端末装置から提供される装置関連情報を保存する（Ｓ８１０）。
【０３０４】
すなわち、本発明の第３実施例によるポリシー提供装置の動作方法は、少なくとも一つの端末装置６００から提供される、接続されたネットワークの無線中継装置に関する装置情報、及び周辺ネットワークの無線中継装置に関する装置情報のうち少なくとも何れか一つを含む装置関連情報を保存／管理する。
【０３０５】
本発明の第３実施例によるポリシー提供装置の動作方法は、２つ以上のネットワーク１０のうち何れか一つのネットワークに接続してデータサービスを利用する端末装置６００に対して上記データサービスによるサービス状態情報を認知する。
【０３０６】
ここで、上述の第３実施例によれば、サービス状態情報は、端末装置６００に対応する２つ以上のネットワーク各々に対するネットワーク別性能情報を含む。
【０３０７】
このように、本発明の第３実施例によるポリシー提供装置の動作方法は、端末装置６００に対応するネットワーク別性能情報を認知し、認知されたネットワーク別性能情報を基に特定ネットワークへの接続変更を誘導するネットワーク変更ポリシーを生成し、生成したネットワーク変更ポリシーを端末装置６００に提供する。
【０３０８】
具体的に説明すれば、本発明の第３実施例によるポリシー提供装置の動作方法は、端末装置６００に対応して２つ以上のネットワーク１０各々を通したテストパケット送／受信結果による各ネットワークの性能情報を生成する性能検出装置８００との連動を通して、性能検出装置８００から端末装置６００に対応するネットワーク別性能情報を獲得して認知できる（Ｓ８２０）。
【０３０９】
このように、本発明の第３実施例によるポリシー提供装置の動作方法は、端末装置６００に対応するネットワーク別性能情報を獲得／認知したら、性能ベースポリシー設定情報を基に上記端末装置６００に対応して認知されたネットワーク別性能情報に応じたネットワーク変更ポリシーを生成する（Ｓ８３０）。
【０３１０】
そして、本発明の第３実施例によるポリシー提供装置の動作方法は、生成したネットワーク変更ポリシーを該当端末装置６００に提供する（Ｓ８４０）。
【０３１１】
例えば、ＷＣＤＭＡ（登録商標）１に接続してデータサービスを利用する端末装置６００に対応して各ネットワーク別性能情報を認知した結果、端末装置６００に対応して、ＷＬＡＮ３のテストパケット送／受信結果（例：パケット遅延率、最大処理量（throughput）、最小処理量、平均処理量及びパケット損失率のうち少なくとも何れか一つ）が最も良好であり、次いでＷｉＢｒｏ（登録商標）４、ＬＴＥ（登録商標）５などの順に把握される場合を仮定してみる。
【０３１２】
この場合、本発明の第３実施例によるポリシー提供装置の動作方法は、性能ベースポリシー設定情報に基づいて、端末装置６００に対応して認知された各ネットワーク別性能情報に対応する最適のネットワーク（例：ＷＬＡＮ３）を決定し、端末装置６００が接続ネットワークを変更するよう誘導するネットワーク変更ポリシーを生成／決定する。
【０３１３】
そして、本発明の第３実施例によるポリシー提供装置の動作方法は、上記生成したネットワーク変更ポリシーを該当する端末装置６００に提供できる。
【０３１４】
以後、上述で説明した通り端末装置６００は、ポリシー提供装置７００から受信されたネットワーク変更ポリシーに従って変更しようとする特定ネットワーク（例：ＷＬＡＮ３）に接続が可能な場合、接続するネットワークを現在のＷＣＤＭＡ（登録商標）１からＷＬＡＮ３へ変更する。
【０３１５】
以上、説明した通り、本発明による異機種ネットワーク間接続変更方法は、２つ以上のネットワークが混在する異機種ネットワーク環境で各ネットワークに属する基地局、アクセスポイント（ＡＰ）のような無線中継装置の負荷状態、端末装置で実行されるアプリケーションの種類、端末装置に対する各ネットワーク別性能などに基づくネットワーク変更ポリシーを端末装置へ提供し、これに従って端末装置が接続するネットワークを変更するよう誘導することにより、ネットワーク運営側が主導してデータトラフィックを効果的に移転しネットワークの安定性を確保することができる。
【０３１６】
一方、ここに提示されている実施例等と関連して説明した方法又はアルゴリズムの段階は、ハードウェアで直接具現されるか、プロセッサにより実行されるソフトウェアモジュールで具現されるか、又はこれらの結合により具現されることができる。ソフトウェアモジュールは、ＲＡＭメモリー、フラッシュメモリー、ＲＯＭメモリー、ＥＰＲＯＭメモリー、ＥＥＰＲＯＭメモリー、レジスタ、ハードディスク、可動式ディスク、ＣＤ−ＲＯＭ、又は技術的に公知となった任意の他の形態の保存媒体に常駐できる。例示的な保存媒体はプロセッサと連結され、その結果、プロセッサは保存媒体から情報を読み取り保存媒体に情報を記録できる。代案として、保存媒体はプロセッサに統合されることができる。プロセッサ及び保存媒体はＡＳＩＣ内に含まれることができる。ＡＳＩＣは使用者端末装置内に含まれることができる。代案として、プロセッサ及び保存媒体は使用者端末装置内に個別のコンポーネントとして含まれることができる。
【０３１７】
以上、本発明を望ましい実施例を参照しながら詳細に説明したが、本発明は上記の実施例に限定されるのではなく、以下の特許請求の範囲で請求する本発明の要旨を逸脱することなく、本発明の属する技術分野において通常の知識を有する者ならば誰でも多様な変形又は修正が可能な範囲まで本発明の技術的思想が及ぶと言える。
【産業上の利用可能性】
【０３１８】
本発明による異機種ネットワーク間接続変更方法を支援するポリシー提供装置及び端末装置によれば、無線中継装置の負荷状態、端末装置で実行されるアプリケーションの種類、端末装置に対する各ネットワーク別性能などに基づくネットワーク変更ポリシーを端末装置に提供し、これに従って端末装置が接続するネットワークを変更するよう誘導することにより、ネットワーク運営側が主導してデータトラフィックを効果的に移転しネットワークの安定性を確保することができるという点で、既存技術の限界を越えることにより、関連技術に対する利用だけでなく、適用される装置の市販又は営業の可能性が充分なばかりか、現実的に明白に実施できる程度であるため産業上の利用可能性のある発明である。
【図１】
0005512896.tif 000002
【図２】
0005512896.tif 000003
【図３】
0005512896.tif 000004
【図４】
0005512896.tif 000005
【図５】
0005512896.tif 000006
【図６】
0005512896.tif 000007
【図７】
0005512896.tif 000008
【図８】
0005512896.tif 000009
【図９】
0005512896.tif 000010
【図１０】
0005512896.tif 000011
【図１１】
0005512896.tif 000012
【図１２】
0005512896.tif 000013
【図１３】
0005512896.tif 000014
【図１４】
0005512896.tif 000015
【図１５】
0005512896.tif 000016
【図１６】
0005512896.tif 000017
【図１７】
0005512896.tif 000018
【図１８】
0005512896.tif 000019